【事件の表示】
　特願２００１−５２５９６５「クローズド・キャプション・タグ付システム」拒絶査定不服審判事件〔平成１３年　３月２９日国際公開、ＷＯ０１／２２７２９、平成１５年　７月１５日国内公表、特表２００３−５２１８５１〕について、次のとおり審決する。
【結　論】
　本件審判の請求は、成り立たない。
【理　由】
１．手続の経緯
　本願は、２０００年９月２０日（パリ条約による優先権主張外国庁受理１９９９年９月２０日、米国）を国際出願日とする出願であって、平成１９年７月３日付で審査請求がなされ、平成２２年１２月２０日付(起案日)で拒絶の理由が通知され、平成２３年６月６日付で意見書及び手続補正書が提出されたものの、平成２３年７月１４日付(起案日)で拒絶査定がなされたものである。　
　本件は、上記拒絶査定を不服として平成２３年１１月１８日に請求された拒絶査定不服審判であって、その審判請求と同時に手続補正書が提出され、当審において、前置報告書の内容について審判請求人の意見を求めるために、平成２４年４月１３日付(起案日)で審尋がなされ、平成２４年１０月１６日付で回答書が提出され、平成２５年３月１９日付(起案日)で平成２３年１１月１８日付の手続補正が却下されると共に、拒絶の理由が通知され、平成２５年７月２６日付で意見書・手続補正書が提出され、平成２５年８月８日付(起案日)で拒絶の理由が通知され、平成２６年１月１４日付で意見書・手続補正書が提出されたものである。
　
２．本願発明
　本願の請求項１〜１２に係る発明は、平成２３年６月６日付、平成２５年７月２６日付、及び、平成２６年１月１４日付手続補正書で補正された明細書、特許請求の範囲及び図面の記載からみて、それぞれ、平成２６年１月１４日付手続補正書で補正された特許請求の範囲の請求項１〜１２に記載されたとおりのものと認められるところ、その請求項１に係る発明は請求項１に記載された次のとおりである。（以下「本願発明」という。）　
　
「【請求項１】
　受信機でビデオ・ストリームを受信するステップと、
　前記受信機が、前記受信機に結合されている格納装置上に当該ビデオ・ストリームを格納するステップと、
　前記受信機が、当該ビデオ・ストリーム内のタグを検出するステップと、
　前記受信機が、当該タグを処理するステップと、
　前記受信機が、当該格納装置からの当該ビデオ・ストリームを視聴者に表示するステップと、
　前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップと、
　前記特定タグの検出に応じて、前記受信機が、前記ビデオ・ストリームの特定セグメントを再生する間に、前記アイコンを前記特定セグメントに重ねるステップと、
　前記受信機が、前記重ねられたアイコンと共に前記特定セグメントを再生する間に、前記受信機が、前記視聴者の入力を受信するステップと、
　前記受信機が、前記重ねられたアイコンと共に前記特定セグメントを再生する間に、前記受信機が、前記視聴者の入力を受信すると、前記受信機が、前記特定タグ内の前記情報によって示される特有アクションを実行するステップと
　を備え、
　前記特定セグメントが、将来上映されるであろう番組の将来の上映についてのプロモーション広告であり、
　前記特定タグが、将来上映されるであろう前記番組の番組識別子を含み、
　前記アイコンが、前記番組がレコーディング可能であることを示し、
　前記入力が、リモート入力装置の一回のキー押しであり、かつ
　前記特有アクションが、前記特定タグに含まれる前記番組識別子に基づいて、前記番組のレコーディングを自動的に予約することを含む、
　方法。」
　
３．引用刊行物
３．１．引用例１
３．１．１．引用例１の記載事項
　当審における平成２５年８月８日付の拒絶の理由で引用した国際公開第９９／３８３２１号パンフレット(１９９９年７月２９日公開。以下「引用例１」という。)には、図面と共に、以下の記載がある。(国際公開第９９／３８３２１号パンフレットに対応する特表２００２−５０３８９７号公報の対応箇所の記載が、翻訳として適切であると認められるので、それを括弧内に併記する。)
　
“SUMMARY OF THE INVENTION　
　According to one aspect of the invention, a current television program displayed on the screen of a home entertainment system includes an announcement or advertisement of a future television program. The availability of an electronic program guide function is signaled during, before, or after the announcement. A command is issued to invoke the EPG function. An EPG database for the home entertainment system includes files that contain information about television programs retrievable by time and channel. The files are linked to each other so information about a future television program can be obtained by accessing a file about a current television program. The information about the future television program is retrieved from the file about the current television program in the database. The EPG function is executed with the retrieved information. As a result, an EPG function can be performed with respect to a future television program without embedding information about the future television program in the television signal.　
The invention can be used to perform various EPG functions, including, without limitation, record, watch, details, display time, display channel, display by theme, and Internet connection.　
　According to an optional feature of the invention, a menu of choices is displayed in response to a command after display of an icon signaling the availability of an EPG function during, before or after the announcement.　
　According to another optional feature of the invention, a plurality of icons are displayed on the screen to signal different EPG functions, which can be invoked by selecting the corresponding icon.”(第１頁第２７行〜第２頁第１３行)
(『【発明の開示】
　本発明の１つの特徴によれば、家庭用娯楽システムのスクリーンに表示される現在テレビ番組は、将来のテレビ番組の告知又は広告を含む。この告知の間、その前又はその後に、電子番組ガイド機能を利用できることが信号される。ＥＰＧ機能を呼び出すためにコマンドが発生される。家庭用娯楽システムのＥＰＧデータベースは、時刻及びチャンネルによって検索できるテレビ番組に関する情報を含むファイルを備えている。これらファイルは互いにリンクされ、現在のテレビ番組に関するファイルをアクセスすることにより将来のテレビ番組に関する情報を得ることができる。将来のテレビ番組に関する情報は、データベースにおける現在テレビ番組に関するファイルから検索される。ＥＰＧ機能は、検索された情報で実行される。その結果、将来のテレビ番組に関する情報をテレビ信号に埋め込むことなく、将来のテレビ番組に対してＥＰＧ機能を実行することができる。
　本発明は、記録、視聴、詳細、時間表示、チャンネル表示、テーマによる表示、及びインターネット接続を含む（これらに限定されない）種々のＥＰＧ機能を遂行するのに使用できる。
　本発明の任意の特徴によれば、告知の間、その前又はその後に、ＥＰＧ機能が利用できることを信号するアイコンが表示された後に、コマンドに応答して選択メニューが表示される。
　本発明の別の任意の特徴によれば、複数のアイコンがスクリーンに表示され、対応するアイコンを選択することにより呼び出すことのできる異なるＥＰＧ機能が信号される。』(段落【０００４】【０００５】))
　
“DETAILED DESCRIPTION OF SPECIFIC EMBODIMENTS　
　In a specific embodiment of the invention, an icon is displayed on a television screen during a telecast of an announcement or advertisement of a later telecast program or some other type of visual or audio signal alerts the viewer that an electronic program guide (EPG) function can be performed without actually entering the EPG or at least not entering the EPG from the beginning.　
For example, if the viewer wants to record on a VCR the program being advertised, the viewer issues an appropriate command from a remote controller, e.g., clicks on the icon with the select or enter key of the remote, and the time and channel of the advertised program are stored in the recording stack memory of the VCR. Preferably, a message is displayed momentarily in a box on the screen to confirm that the function will be performed. If desired a query could also be displayed whether the program should be displayed once or on more occasions, e.g., daily or weekly.”(第２頁第３３行〜第３頁第１１行)
(『【発明を実施するための最良の形態】
　以下、添付図面を参照して、本発明の好ましい実施形態を詳細に説明する。
　本発明の特定の実施形態では、後で放送される番組の告知（アナウンス）又は広告の放映中に、テレビスクリーンにアイコンが表示されるか、或いは他の形式の視覚又は音声信号が、電子番組ガイド（ＥＰＧ）に実際に入ったり又は少なくとも始めからＥＰＧに入らずに、ＥＰＧ機能を遂行できることを視聴者に知らせる。
　例えば、視聴者は、広告されている番組をＶＣＲに記憶することを希望する場合には、リモートコントローラから適当なコマンドを発生し、例えば、リモートコントローラの選択又はエンターキーでアイコンをクリックし、その広告された番組の時刻及びチャンネルがＶＣＲの記録スタックメモリに記憶される。機能が遂行されることを確認するために、スクリーン上のボックスにメッセージが瞬時に表示されるのが好ましい。もし希望であれば、番組を１回又はもっと頻繁に、例えば、毎日又は毎週表示すべきであるかどうかの問合わせも表示できる。』(段落【０００６】【０００７】))
　
“A home entertainment system is shown in FIG. 1. A source of television signals 10 such as a terrestrial antenna, or a cable is connected to a television tuner 11. The output of tuner 11 is a modulated intermediate frequency signal containing video and audio television information.　
Tuner 11 is connected by an intermediate frequency amplifier (IF AMP) 12 to a picture detector (PICTURE DET) 13 and a sound detector (SOUND DET) 14, which produce base band video and audio signals, respectively. The audio signal is coupled by a sound amplifier (SOUND AMP) 15 to a loudspeaker 16. The video signal is coupled by a video amplifier not shown to one input of a switch 18. Sound detector 14 and picture detector 13 are connected to the audio and video inputs, respectively, of a video cassette recorder (VCR) 17. (Alternatively, television signal source 10 could be directly connected to the RF input of VCR 17 in well known fashion, if its internal tuner and demodulating circuitry are to be utilized.) The output of VCR 17 is connected to the other input of switch 18. The output of switch 18 is connected to one input of a conventional picture-in-picture (PIP) integrated circuit chip 19. The output of PIP chip 19 is connected to the video input of a television receiver or display monitor (TV) 20 having a screen (not shown).　
An updatable data base of the schedule of program listings of all the available channels for a prescribed period of time, e.g., a day or a week, is electronically stored in a program schedule memory 22, preferably a RAM. Memory 22 is connected to a microprocessor 24 that is configured, i.e., programmed, to control the operation of the described equipment. An operating program for microprocessor 24 is stored in a read only memory (ROM) 26. These program listings typically include for each program the title, a program description (detail), the day of the week, the start time of the day, the program length, and the channel on which the program is transmitted and thus available for reception at source 10. These program listings are retrievable by time and channel. Further, to implement the invention these program listings are organized into files; the files are linked to each other so information about a future television program that is advertised in an earlier television program can be obtained by accessing a file about the earlier television program. The data base can be updated by a data transmission link in the vertical blanking interval (VBI) of a television channel broadcast to the television receiver in well known fashion. A VBI decoder 38 is connected between PICTURE DET 13 and microprocessor 24 for this purpose. Alternatively, the data base can be updated by unplugging memory 22 and replacing it with a memory having the updated data base or by another data transmission link such as an Internet connection or a pager in the 900MHz band. A viewer input device 28, preferably in the form of a remote IR controller, is coupled to microprocessor 24 to issue commands from the viewer. A video processor 30 is coupled to microprocessor 24. When the viewer wishes to see television program listings, microprocessor 24 recalls a portion of the program schedule data base from memory 22 and couples it to video processor 30, where the program listings are formatted for display. Preferably, the information stored in video processor 30 is a bit map of what is displayed on the screen of television receiver 20. Video processor 30 is connected through a switch 40 to the other input of PIP chip 19. Preferably, viewer input device 28 controls microprocessor 24 by cursor movement on the screen of television receiver 20. To this end, microprocessor 24 and video processor 30 are coupled to a cursor position register 32. (Alternatively, the viewer can select items of information displayed on the screen by keying into viewer input device 28 code numbers assigned to these items.) Microprocessor 24 is also coupled to tuner 11 for channel change, to VCR 17 for play/record selection and start/stop, to switches 18 and 40 for selection of one of their inputs, and to PIP chip 19 for selection of the mode of PIP operation. An Internet connection 42 through a telephone line or bidirectional cable is controlled by microprocessor 24. Microprocessor 24 retrieves the address of the web site to which the viewer wants to connect. Internet connection 42 has the components required for implementing Web TV. The information recovered from the addressed web site is coupled from Internet connection 42 through switch 40 to the one input of PIP chip 19 for display on the screen of TV 20.”(第３頁第２４行〜第５頁第５行)
(『２つ以上の機能が視聴者に使用できる場合には、視聴者がアイコンをクリックすると、機能の選択が先ずメニューに表示され、そしてその後、表示された選択肢の１つを視聴者がクリックすると、機能が実行される。
　家庭用娯楽システムが図１に示されている。地上アンテナ又はケーブルのようなテレビ信号のソース１０がテレビチューナー１１に接続される。チューナー１１の出力は、映像及び音声テレビ情報を含む変調された中間周波信号である。チューナー１１は、中間周波増幅器（ＩＦ　ＡＭＰ）１２によって映像検出器（ＰＩＣＴＵＲＥ　ＤＥＴ）１３及び音声検出器（ＳＯＵＮＤ　ＤＥＴ）１４に接続され、これらは各々基本帯域映像及び音声信号を発生する。音声信号は、音声増幅器（ＳＯＵＮＤ　ＡＭＰ）１５によってスピーカ１６に接続される。映像信号は、映像増幅器（図示せず）によりスイッチ１８の１つの入力に接続される。音声検出器１４及び映像検出器１３は、ビデオカセットレコーダー（ＶＣＲ）１７の音声及び映像入力に各々接続される。（或いは又、テレビ信号ソース１０は、ＶＣＲの内部チューナー及び復調回路を使用できる場合には、良く知られた仕方でＶＣＲ１７のＲＦ入力に直結することもできる。）ＶＣＲ１７の出力は、スイッチ１８の他方の入力に接続される。スイッチ１８の出力は、従来のピクチャー・イン・ピクチャー（ＰＩＰ）集積回路チップ１９の一方の入力に接続される。ＰＩＰチップ１９の出力は、スクリーン（図示せず）を有するテレビ受像機又はディスプレイモニタ（ＴＶ）２０の映像入力に接続される。
　規定の時間周期、例えば１日又は１週間に対する全利用可能チャンネルの番組リストのスケジュールを含む更新可能なデータベースが、番組スケジュールメモリ２２、好ましくは、ＲＡＭに電子的に記憶される。このメモリ２２は、ここに示す装置の動作を制御するように構成され即ちプログラムされたマイクロプロセッサ２４に接続される。マイクロプロセッサ２４の動作プログラムは、リードオンリメモリ（ＲＯＭ）２６に記憶される。これらの番組リストは、通常、各番組ごとに、タイトル、番組説明（詳細）、曜日、スタート日時、番組の長さ、及び番組が送信されるチャンネル、ひいては、ソース１０の受信に使用できるチャンネルを含む。これらの番組リストは、時刻及びチャンネルによって検索できる。更に、本発明を実施するために、これらの番組リストはファイルに編成され、即ちファイルは、早期のテレビ番組に関するファイルをアクセスすることにより、早期のテレビ番組で広告される将来のテレビ番組に関する情報が得られるように互いにリンクされる。データベースは、テレビ受像機へ放送されるテレビチャンネルの垂直帰線消去インターバル（ＶＢＩ）において良く知られたやり方でデータ送信リンクにより更新することができる。このため、映像検出器１３とマイクロプロセッサ２４との間にＶＢＩ検出器３８が接続される。或いは又、データベースは、メモリ２２を取り外しそして更新されたデータベースを有するメモリに置き換えるか、又は９００ＭＨｚ帯域の別のデータ送信リンク、例えば、インターネット接続又はページャーによって更新することもできる。視聴者からコマンドを発生するために、好ましくはリモートＩＲコントローラの形態の視聴者入力装置２８がマイクロプロセッサ２４に接続される。映像プロセッサ３０はマイクロプロセッサ２４に接続される。視聴者がテレビ番組リストを見たいときには、マイクロプロセッサ２４は、メモリ２２から番組スケジュールデータベースの一部分を呼び出し、そしてそれを映像プロセッサ３０に接続し、そこで、番組リストが表示のためにフォーマットされる。映像プロセッサ３０に記憶される情報は、テレビ受像機２０のスクリーンに表示される情報のビットマップであるのが好ましい。映像プロセッサ３０は、スイッチ４０を経てＰＩＰチップ１９の他方の入力に接続される。視聴者入力装置２８は、テレビ受像機２０のスクリーン上のカーソル移動によりマイクロプロセッサ２４を制御するのが好ましい。このために、マイクロプロセッサ２４及び映像プロセッサ３０は、カーソル位置レジスタ２０に接続される。（或いは又、視聴者は、スクリーンに表示された情報の項目を、これら項目に指定されたコード番号を視聴者入力装置２８にキー入力することにより、選択することもできる。）又、マイクロプロセッサ２４は、チャンネル切り換えのためにチューナー１１に接続され、再生／記録選択及びスタート／ストップのためにＶＣＲ１７に接続され、１つの入力を選択するためにスイッチ１８及び４０に接続され、そしてＰＩＰ動作モードを選択するためにＰＩＰチップ１９に接続される。電話線又は両方向性ケーブルを通るインターネット接続４２は、マイクロプロセッサ２４により制御される。マイクロプロセッサ２４は、視聴者が接続を希望するウェブサイトのアドレスを検索する。インターネット接続４２は、ウェブＴＶを実施するのに必要な要素を有する。アドレスされたウェブサイトから回復された情報は、インターネット接続４２からスイッチ４０を経てＰＩＰチップ１９の一方の入力へ接続され、ＴＶ２０のスクリーンに表示される。』(段落【０００９】【００１０】))
　
“In operation, tuner 11 is set to a viewer selected channel by microprocessor 24 responsive to input device 28. During a commercial break in the television program on the selected channel, an announcement or advertisement for another television program to be telecast at a later time is displayed on the screen of TV 20. Transmitted as part of the image of the advertisement is an icon that signals to the viewer that it is possible to link to an EPG function. Alternatively, the icon could be transmitted in the VBI during the advertisement, recovered by VBI decoder 38, transformed into graphic form in video processor 30, and overlayed on the image of the advertisement. (If desired the icon could be displayed immediately before or immediately after the advertisement.) The advertisement designated 50 and an icon 52 are illustrated in FIG. 2. When the viewer issues a command from input device 28, by either pushing a dedicated key or positioning a cursor over icon 52 with arrow keys and clicking an all purpose actuator (enter) key, a box 54 is overlayed over advertisement 50 as illustrated in FIG. 3 to prompt the viewer to invoke an EPG function. A menu of EPG functions is displayed in box 54, namely:　
　1. record the advertised program when it is telecast at a later time;　
　2. turn the television on to watch the advertised program when it is telecast at a later time;　
　3. display details of the advertised program now;　
　4. display a listing of programs telecast at the same time as the advertised program so the viewer can compare the advertised program with other offerings at the same time;　
　5. display a listing of programs telecast on the same channel as the advertised program so the viewer can compare the advertised program with other offerings on the same channel;　
　6. display a listing of programs in the same category or theme as the advertised program so the viewer can determine the availability of programs of the same genre as the advertised program;　
　7. connect to the Internet to obtain more details about the advertised program than are available through the details function; and　
　8. return to the television program.　
The viewer selects one of the functions for example by moving a cursor to the menu item and then issuing another command to invoke the selected function. For example, the viewer could highlight 3. and click to display details about the advertised program.”(第５頁第６行〜第６頁第５行)
(『動作中に、チューナー１１は、入力装置２８に応答して、マイクロプロセッサ２４により、ユーザが選択したチャンネルにセットされる。選択されたチャンネルにおけるテレビ番組のコマーシャル中断中に、その後に放映されるべき別のテレビ番組の告知（アナウンス）又は広告がＴＶ２０のスクリーンに表示される。広告映像の一部分として送信されるのは、ＥＰＧ機能にリンクできることを視聴者に信号するアイコンである。或いは又、アイコンを広告の間にＶＢＩにおいて送信し、ＶＢＩデコーダ３８により回復し、映像プロセッサ３０においてグラフィック形態に変換し、そして広告映像の上に重ねることもできる。（もし希望があれば、広告の直前又は直後にアイコンを表示することもできる。）広告５０及びアイコン５２が図２に示されている。
　視聴者が、専用キーを押すか又は矢印キーでアイコン５２上にカーソルを配置して全目的のアクチュエータ（エンター）キーをクリックすることにより、入力装置２８からコマンドを発生すると、図３に示すように、広告５０の上にボックス５４が重ねられ、ＥＰＧ機能を呼び出すように視聴者を促す。ボックス５４には、ＥＰＧ機能のメニューが表示される。即ち、
　１．広告された番組を、それが後で放映されるときに記録する。
　２．広告された番組を、それが後で放映されるときに、テレビをオンに切り換えて視聴する。
　３．広告された番組の詳細をここで表示する。
　４．広告された番組と同時に放映される番組のリストを表示し、視聴者がその広告された番組と、それと同時に放映される他の番組を比較できるようにする。
　５．広告された番組と同じチャンネルで放映される番組のリストを表示し、視聴者がその広告された番組と、その同じチャンネルで放映される他の番組を比較できるようにする。
　６．広告された番組と同じ分類又はテーマの番組のリストを表示し、視聴者がその広告された番組と同じジャンルの番組を見られることを決定する。
　７．広告された番組について、詳細機能により得られる以上の詳細を得るために、インターネットに接続する。
　８．テレビ番組に戻る。
視聴者は、例えば、カーソルをメニュー項目へ移動することによりこれら機能の１つを選択し、そして別のコマンドを発生してその選択された機能を呼び出す。例えば、視聴者は、「３．」をハイライトにし、そしてクリックして、広告された番組に関する詳細を表示することができる。』(段落【００１１】【００１２】))　
　
“With reference to the above PCT application, the EPG information about the television programs is retrievable by time and channel; for example a pre-established time list includes addresses that point to show information packages (SIP) for the television programs. Each television program that has an icon 52 includes in its SIP an address pointing to the schedule information, i.e., day, time, channel, and length, of the advertised program to be telecast at a later time, thereby linking the information of the two television programs. If the record or watch function is selected, the channel is read from tuner 11 and the time is read from a real time clock in microprocessor 24. From this information, the pointer of the SIP for the current television program is retrieved from the pre-established time list. The retrieved pointer permits microprocessor 24 to find the SIP for the current television program, which contains the address pointing to the schedule information for the advertised program. The schedule information is stored in a memory stack so microprocessor 23 can set tuner 11 to the proper channel and turn on the VCR for unattended future recording or turn on the television for automatic future watching at the appointed time in well known fashion.　
　The program listing files stored in memory 22 could be organized in any number of other ways so long as the information about the future programs being advertised is linked to a current program, i.e., can be retrieved when a current program is being displayed with an EPG function signaling icon. For example, the information about the future programs could be linked to the current programs including advertisements by being part of the same file as the current programs instead of being linked by a pointer.　
　When the record function is selected, a box 56 is overlaid on advertisement 50 as illustrated in FIG. 4 to prompt the viewer to select a record option. A menu of record options is displayed in box 56. (These record options are also considered to be EPG functions as the term is used herein because they are functions that can normally be performed by an EPG.) The viewer can record the advertised program as follows:　
　1. once;　
　2. daily;　
　3. weekly; or　
　4. each time program in a series (e.g., the NBA championship games) is telecast.　
The viewer selects one of the record options for example by moving a cursor to a menu item, e.g., 3. and clicking to record the advertised program weekly.　
　As an additional feature, if the series option is selected in FIG. 4, a list of each occurrence of the episodes of the series may be displayed; when a particular episode is selected, a synopsis of the episode would then be displayed. From the synopsis the viewer could select individual episodes of the series to schedule to watch or record.　
　The menus shown in FIGS. 3 and 4 could be stored in memory 22 along with the EPG data base and overlayed on the image of the advertisement by means of a video switch or other means not represented in FIG. 1.　
　If the detail function is selected, the detail (program description) information is retrieved from the SIP of the future program being advertised and displayed on the screen of TV 20.”(第６頁第１０行〜第７頁第１５行)
(『上記のＰＣＴ特許出願を参照すれば、テレビ番組に関するＥＰＧ情報は、時刻及びチャンネルによって検索することができ、例えば、予め確立された時刻リストは、テレビ番組に対するショー情報パッケージ（ＳＩＰ）を指すアドレスを含む。アイコン５２を有する各テレビ番組は、そのＳＩＰにおいて、後で放映されるべき広告された番組のスケジュール情報、即ち日付、時刻、チャンネル及び長さを指すアドレスを含み、これにより、２つのテレビ番組の情報をリンクする。「記録」又は「視聴」機能が選択された場合には、チャンネルがチューナー１１から読み取られ、そして時刻がマイクロプロセッサ２４のリアルタイムクロックから読み取られる。この情報から、現在テレビ番組のＳＩＰのポインタが、予め確立された時刻リストから検索される。検索されたポインタは、マイクロプロセッサ２４が現在テレビ番組に対するＳＩＰを見出せるようにし、これは、広告された番組に対するスケジュール情報を指すアドレスを含んでいる。スケジュール情報は、メモリスタックに記憶され、従って、マイクロプロセッサ２３は、チューナー１１を適切なチャンネルにセットすると共に、付き添いなしの将来の記録のためにＶＣＲをオンに切り換えるか、又は良く知られたやり方で約束の時刻に自動的に将来視聴するためにテレビをオンに切り換える。
　メモリ２２に記憶される番組リストファイルは、広告されている将来番組に関する情報が現在番組に「リンク」され、即ちＥＰＧ機能指示アイコンと共に現在番組が表示されるときにその将来番組に関する情報を検索できる限り、多数の他のやり方で編成することができる。例えば、将来番組に関する情報は、ポインタによってリンクされるのではなく、現在番組と同じファイルの一部分であることにより、広告を含む現在番組にリンクすることができる。
　記録機能が選択されたときには、図４に示すように、広告５０の上にボックス５６が重ねられ、記録の項目を選択するように視聴者を促す。記録項目のメニューがボックス５６に表示される。（これら記録項目は、その用語がここで使用されるＥＰＧ機能でもあるとみなされる。というのは、それらは、通常、ＥＰＧによって実行することのできる機能だからである。）視聴者は、広告された番組を次のように記録することができる。
　１．１回；
　２．毎日；
　３．毎週；又は
　４．シリーズ番組（例えば、ＮＢＡチャンピオンシップゲーム）が放映されるたびに。
　
視聴者は、例えば、広告された番組を毎週記録するために、カーソルをメニュー項目「３．」へ移動しそしてクリックすることにより、記録項目の１つを選択する。
　付加的な特徴として、図４においてシリーズ項目が選択された場合には、そのシリーズの連続作品の各放送のリストが表示され、次いで、特定の作品が選択されると、その作品の概要が表示される。この概要から、視聴者は、そのシリーズの個々の作品を選択して、視聴又は記録するようにスケジュールすることができる。
　図３及び４に示すメニューは、ＥＰＧデータベースと共にメモリ２２に記憶され、そしてビデオスイッチ又は図１に示さない他の手段によって広告映像の上に重ねることができる。
　詳細機能が選択された場合には、詳細（番組記述）情報が、広告されている将来番組のＳＩＰから検索され、そしてＴＶ２０のスクリーンに表示される。』(段落【００１４】〜【００１７】))
　
“If the Internet function is selected, the system sets up a connection to a web site where more information is available about the other television program to which the announcement or advertisement relates. The web site address (URL) could be embedded in the VBI of the television signal that carries the announcement, stored at the television receiver in the EPG data base as part of the SIP for the current television program, or retrieved from a central data base via a telephone connection. After the Internet connection is established, as illustrated in FIG.5, the television program is displayed in a PIP window 58 with the web site information in the background 60, or vis-a- versa. Alternatively, the web site information could replace the television program on the screen. In either case, the viewer can navigate about the web site in the normal fashion to find the desired information.”(第７頁第３０行〜第８頁第２行)
(『インターネット機能が選択された場合には、システムがウェブサイトへの接続を設定し、ここでは、告知又は広告に関連した他のテレビ番組に関するより多くの情報が得られる。ウェブサイトアドレス（ＵＲＬ）は、告知を搬送するテレビ信号のＶＢＩに埋め込むこともできるし、又はテレビ受像機において現在テレビ番組に対するＳＩＰの一部分としてＥＰＧデータベースに記憶することもできるし、或いは電話接続を経て中央データベースから検索することもできる。インターネット接続が確立された後に、図５に示すように、テレビ番組がＰＩＰウインドウ５８にそしてウェブサイト情報が背景６０に表示されるか又はその逆に表示される。或いは又、ウェブサイト情報がスクリーン上のテレビ番組に置き換わることもできる。いずれの場合にも、視聴者は、ウェブサイトについて通常のやり方でナビゲーションし、希望の情報を見出すことができる。』(段落【００２０】))
　
“Instead of a single icon 52 (FIG. 1) that invokes a menu of choices of EPG functions (FIG.3), a plurality of icons 52a, 52b, and 52c could be displayed as shown in FIG. 7 to bypass the menu of FIG. 3. Each icon is marked with a mnemonic to enable the viewer to distinguish it from the other icons, e.g., R stands for record, W stands for watch, and D stands for details. When the viewer selects one of the icons, e.g., by clicking on the selected icon, the corresponding EPG function is invoked directly.”(第８頁第２５〜３０行)
(『ＥＰＧ機能の選択メニュー（図３）を呼び出す単一アイコン５２（図１）に代わって、図７に示すように、複数のアイコン５２ａ、５２ｂ及び５２ｃを表示して、図３のメニューをバイパスすることができる。各アイコンは、視聴者がそれを他のアイコンと区別できるようにする符号でマークすることができ、例えば、「Ｒ」は、「記録」を意味し、「Ｗ」は、「視聴」を意味し、そして「Ｄ」は、「詳細」を意味する。視聴者が、例えば、選択されたアイコンをクリックすることによりアイコンの１つを選択すると、それに対応するＥＰＧ機能が直接的に呼び出される。』(段落【００２３】))　
　
“The described embodiments of the invention are only considered to be preferred and illustrative of the inventive concept; the scope of the invention is not to be restricted to such embodiment. Various and numerous other arrangements may be devised by one skilled in the art without departing from the spirit and scope of this invention. For example, although a visual icon is preferred, an audible signal could be given to alert the viewer to the presence of an announcement or advertisement. Further, if only the record function is available, the menu of FIG. 3 could be bypassed and the menu of FIG. 4 could be displayed directly; alternatively, if only one other EPG function is available, the menu of FIG. 3 could be bypassed in favor of a prompt to confirm the EPG function or the display of some other appropriate prompting menu.”(第８頁第３１行〜第９頁第４行)
(『以上に述べた本発明の実施形態は、本発明の概念を示す好ましい実施形態に過ぎず、本発明は、これに限定されるものではない。本発明の精神及び範囲から逸脱せずに、種々の多数の他の構成が当業者に明らかであろう。例えば、視覚的なアイコンが好ましいが、可聴信号を与えて、告知又は広告の存在を視聴者に示すこともできる。更に、記録機能しか得られない場合には、図３のメニューをバイパスしそして図４のメニューを直接表示することができ、或いは他の１つのＥＰＧ機能しか得られない場合には、ＥＰＧ機能の確認を促進するために又は他の適当な促進メニューを表示するために、図３のメニューをバイパスすることができる。』(段落【００２４】))
　
“
”
“
”
“
”
“
”
“
”
“
”
　
３．１．２．引用例１記載の発明
　ここで、上記記載を検討する。
　
　第一に、引用例１の第１頁第２７行〜第２頁第１３行、第３頁第２４行〜第５頁第５行の上記記載、および、Fig.1の記載からみて、引用例１記載の発明は「地上アンテナ又はケーブルのようなテレビ信号のソース１０(source of television signals 10)が接続されたテレビチューナー１１(television tuner 11)」「ビデオカセットレコーダー（ＶＣＲ）１７(video cassette recorder (VCR) 17)」「ディスプレイモニタ（ＴＶ）２０(display monitor (TV) 20)」「装置の動作を制御するように構成され即ちプログラムされたマイクロプロセッサ２４(microprocessor 24)」「好ましくはリモートＩＲコントローラの形態の視聴者入力装置２８(viewer input device 28)」「映像プロセッサ３０(video processor 30)」「ＶＢＩ検出器３８(VBI decoder 38)」を有する「家庭用娯楽システム(home entertainment system)」である。
　第二に、引用例１の第３頁第２４行〜第５頁第５行の上記記載、および、Fig.1の記載からみて、「テレビチューナー１１(television tuner 11)の出力は、ビデオカセットレコーダー（ＶＣＲ）１７(video cassette recorder (VCR) 17)とディスプレイモニタ（ＴＶ）２０(display monitor (TV) 20)に接続され」ているものである。
　第三に、引用例１の“According to one aspect of the invention, a current television program displayed on the screen of a home entertainment system includes an announcement or advertisement of a future television program.”(第１頁第２８〜３０行)(『本発明の１つの特徴によれば、家庭用娯楽システムのスクリーンに表示される現在テレビ番組は、将来のテレビ番組の告知又は広告を含む。』(段落【０００４】))、“As a result, an EPG function can be performed with respect to a future television program without embedding information about the future television program in the television signal. The invention can be used to perform various EPG functions, including, without limitation, record, watch, details, display time, display channel, display by theme, and Internet connection. According to an optional feature of the invention, a menu of choices is displayed in response to a command after display of an icon signaling the availability of an EPG function during, before or after the announcement. According to another optional feature of the invention, a plurality of icons are displayed on the screen to signal different EPG functions, which can be invoked by selecting the corresponding icon.”(第１頁第３７行〜第２頁第１３行)”(『その結果、将来のテレビ番組に関する情報をテレビ信号に埋め込むことなく、将来のテレビ番組に対してＥＰＧ機能を実行することができる。本発明は、記録、視聴、詳細、時間表示、チャンネル表示、テーマによる表示、及びインターネット接続を含む（これらに限定されない）種々のＥＰＧ機能を遂行するのに使用できる。本発明の任意の特徴によれば、告知の間、その前又はその後に、ＥＰＧ機能が利用できることを信号するアイコンが表示された後に、コマンドに応答して選択メニューが表示される。本発明の別の任意の特徴によれば、複数のアイコンがスクリーンに表示され、対応するアイコンを選択することにより呼び出すことのできる異なるＥＰＧ機能が信号される。』(段落【０００４】【０００５】))との記載からみて、引用例１記載の発明の「家庭用娯楽システム(home entertainment system)」の「ディスプレイモニタ（ＴＶ）２０(display monitor (TV) 20)」に「表示されるテレビ番組は、将来のテレビ番組の告知又は広告を含む」ものであって、「告知の間、その前又はその後に、ＥＰＧ機能が利用できることを示す複数のアイコンがスクリーンに表示され、対応するアイコンを選択することにより呼び出すことのできる異なるＥＰＧ機能を実行する」ものである。
　第四に、引用例１の上記“Alternatively, the icon could be transmitted in the VBI during the advertisement, recovered by VBI decoder 38, transformed into graphic form in video processor 30, and overlayed on the image of the advertisement. (If desired the icon could be displayed immediately before or immediately after the advertisement.)”(第５頁第１０〜１４行)(『或いは又、アイコンを広告の間にＶＢＩにおいて送信し、ＶＢＩデコーダ３８により回復し、映像プロセッサ３０においてグラフィック形態に変換し、そして広告映像の上に重ねることもできる。（もし希望があれば、広告の直前又は直後にアイコンを表示することもできる。）』(段落【００１１】))の記載からみて、引用例１記載の発明の「アイコン」は「広告の間の垂直帰線消去インターバル（“VBI”)に送られ」、「ＶＢＩ検出器３８(VBI decoder 38)により回復し、映像プロセッサ３０(video processor 30)においてグラフィック形態に変換し、広告映像の上に重ね」て表示されるものである。
　第五に、引用例１の上記“When the viewer issues a command from input device 28, by either pushing a dedicated key or positioning a cursor over icon 52 with arrow keys and clicking an all purpose actuator (enter) key, a box 54 is overlayed over advertisement 50 as illustrated in FIG. 3 to prompt the viewer to invoke an EPG function. ”(第５頁第１５〜１８行)(『視聴者が、専用キーを押すか又は矢印キーでアイコン５２上にカーソルを配置して全目的のアクチュエータ（エンター）キーをクリックすることにより、入力装置２８からコマンドを発生すると、図３に示すように、広告５０の上にボックス５４が重ねられ、ＥＰＧ機能を呼び出すように視聴者を促す。』(段落【００１２】))、“Instead of a single icon 52 (FIG. 1) that invokes a menu of choices of EPG functions (FIG.3), a plurality of icons 52a, 52b, and 52c could be displayed as shown in FIG. 7 to bypass the menu of FIG. 3. Each icon is marked with a mnemonic to enable the viewer to distinguish it from the other icons, e.g., R stands for record, W stands for watch, and D stands for details. When the viewer selects one of the icons, e.g., by clicking on the selected icon, the corresponding EPG function is invoked directly.”(第８頁第２５〜３０行)(『ＥＰＧ機能の選択メニュー（図３）を呼び出す単一アイコン５２（図１）に代わって、図７に示すように、複数のアイコン５２ａ、５２ｂ及び５２ｃを表示して、図３のメニューをバイパスすることができる。各アイコンは、視聴者がそれを他のアイコンと区別できるようにする符号でマークすることができ、例えば、「Ｒ」は、「記録」を意味し、「Ｗ」は、「視聴」を意味し、そして「Ｄ」は、「詳細」を意味する。視聴者が、例えば、選択されたアイコンをクリックすることによりアイコンの１つを選択すると、それに対応するＥＰＧ機能が直接的に呼び出される。』(段落【００２３】))との記載、および、Fig.3, Fig.7 の記載からみて、引用例１記載の発明の「アイコン」として「記録を意味するＲという文字を含むアイコン５２ａ」「視聴を意味するＷという文字を含むアイコン５２ｂ」「詳細を意味するＤという文字を含むアイコン５２ｃ」を含むものであって「選択されたアイコン５２をクリックすることによりアイコンの１つを選択すると、それに対応するＥＰＧ機能が直接的に呼び出される」ものである。
　第六に、引用例１の上記“A menu of EPG functions is displayed in box 54, namely: 1. record the advertised program when it is telecast at a later time; 2. turn the television on to watch the advertised program when it is telecast at a later time; 3. display details of the advertised program now;”(第５頁第１８〜２２行)(「ボックス５４には、ＥＰＧ機能のメニューが表示される。即ち、１．広告された番組を、それが後で放映されるときに記録する。２．広告された番組を、それが後で放映されるときに、テレビをオンに切り換えて視聴する。３．広告された番組の詳細をここで表示する。」(段落【００１２】))、“When the record function is selected, a box 56 is overlaid on advertisement 50 as illustrated in FIG. 4 to prompt the viewer to select a record option. A menu of record options is displayed in box 56. (These record options are also considered to be EPG functions as the term is used herein because they are functions that can normally be performed by an EPG.) The viewer can record the advertised program as follows: 1. once; 2. daily; 3. weekly; or 4. each time program in a series (e.g., the NBA championship games) is telecast. The viewer selects one of the record options for example by moving a cursor to a menu item, e.g., 3. and clicking to record the advertised program weekly. As an additional feature, if the series option is selected in FIG. 4, a list of each occurrence of the episodes of the series may be displayed; when a particular episode is selected, a synopsis of the episode would then be displayed. From the synopsis the viewer could select individual episodes of the series to schedule to watch or record.”(第６頁第３０行〜第７頁第９行)(『記録機能が選択されたときには、図４に示すように、広告５０の上にボックス５６が重ねられ、記録の項目を選択するように視聴者を促す。記録項目のメニューがボックス５６に表示される。（これら記録項目は、その用語がここで使用されるＥＰＧ機能でもあるとみなされる。というのは、それらは、通常、ＥＰＧによって実行することのできる機能だからである。）視聴者は、広告された番組を次のように記録することができる。１．１回；２．毎日；３．毎週；又は４．シリーズ番組（例えば、ＮＢＡチャンピオンシップゲーム）が放映されるたびに。視聴者は、例えば、広告された番組を毎週記録するために、カーソルをメニュー項目「３．」へ移動しそしてクリックすることにより、記録項目の１つを選択する。付加的な特徴として、図４においてシリーズ項目が選択された場合には、そのシリーズの連続作品の各放送のリストが表示され、次いで、特定の作品が選択されると、その作品の概要が表示される。この概要から、視聴者は、そのシリーズの個々の作品を選択して、視聴又は記録するようにスケジュールすることができる。』(段落【００１６】【００１７】))、“If the detail function is selected, the detail (program description) information is retrieved from the SIP of the future program being advertised and displayed on the screen of TV 20.”(第７頁第１４〜１５行)(「詳細機能が選択された場合には、詳細（番組記述）情報が、広告されている将来番組のＳＩＰから検索され、そしてＴＶ２０のスクリーンに表示される。」(段落【００１７】))との記載からみて、引用例１記載の発明で「記録を意味するＲという文字を含むアイコン５２ａ」が選択されたときには、広告された番組を、それが後で放映されるときに記録するものであって、広告された番組を１回だけ、毎日、毎週、シリーズ番組とし��録画するかを選択するメニューが表示され、「視聴を意味するＷという文字を含むアイコン５２ｂ」が選択されたときには、広告された番組を、それが後で放映されるときに、テレビをオンに切り換えて視聴するものであって、「詳細を意味するＤという文字を含むアイコン５２ｃ」が選択されたときには、広告された番組の詳細をＴＶ２０のスクリーンに表示するものである。
　第七に、引用例１の上記“With reference to the above PCT application, the EPG information about the television programs is retrievable by time and channel; for example a pre-established time list includes addresses that point to show information packages (SIP) for the television programs. Each television program that has an icon 52 includes in its SIP an address pointing to the schedule information, i.e., day, time, channel, and length, of the advertised program to be telecast at a later time, thereby linking the information of the two television programs. If the record or watch function is selected, the channel is read from tuner 11 and the time is read from a real time clock in microprocessor 24. From this information, the pointer of the SIP for the current television program is retrieved from the pre-established time list. The retrieved pointer permits microprocessor 24 to find the SIP for the current television program, which contains the address pointing to the schedule information for the advertised program. The schedule information is stored in a memory stack so microprocessor 23 can set tuner 11 to the proper channel and turn on the VCR for unattended future recording or turn on the television for automatic future watching at the appointed time in well known fashion. The program listing files stored in memory 22 could be organized in any number of other ways so long as the information about the future programs being advertised is linked to a current program, i.e., can be retrieved when a current program is being displayed with an EPG function signaling icon. For example, the information about the future programs could be linked to the current programs including advertisements by being part of the same file as the current programs instead of being linked by a pointer.”(第６頁第１０〜２９行)(『上記のＰＣＴ特許出願を参照すれば、テレビ番組に関するＥＰＧ情報は、時刻及びチャンネルによって検索することができ、例えば、予め確立された時刻リストは、テレビ番組に対するショー情報パッケージ（ＳＩＰ）を指すアドレスを含む。アイコン５２を有する各テレビ番組は、そのＳＩＰにおいて、後で放映されるべき広告された番組のスケジュール情報、即ち日付、時刻、チャンネル及び長さを指すアドレスを含み、これにより、２つのテレビ番組の情報をリンクする。「記録」又は「視聴」機能が選択された場合には、チャンネルがチューナー１１から読み取られ、そして時刻がマイクロプロセッサ２４のリアルタイムクロックから読み取られる。この情報から、現在テレビ番組のＳＩＰのポインタが、予め確立された時刻リストから検索される。検索されたポインタは、マイクロプロセッサ２４が現在テレビ番組に対するＳＩＰを見出せるようにし、これは、広告された番組に対するスケジュール情報を指すアドレスを含んでいる。スケジュール情報は、メモリスタックに記憶され、従って、マイクロプロセッサ２３は、チューナー１１を適切なチャンネルにセットすると共に、付き添いなしの将来の記録のためにＶＣＲをオンに切り換えるか、又は良く知られたやり方で約束の時刻に自動的に将来視聴するためにテレビをオンに切り換える。メモリ２２に記憶される番組リストファイルは、広告されている将来番組に関する情報が現在番組に「リンク」され、即ちＥＰＧ機能指示アイコンと共に現在番組が表示されるときにその将来番組に関する情報を検索できる限り、多数の他のやり方で編成することができる。例えば、将来番組に関する情報は、ポインタによってリンクされるのではなく、現在番組と同じファイルの一部分であることに��り、広告を含む現在番組にリンクすることができる。』(段落【００１４】【００１５】))の記載からみて、引用例１記載の発明の「時刻及びチャンネルによって検索することができるテレビ番組に関するＥＰＧ情報(EPG information)」は「テレビ番組に対するショー情報パッケージ（ＳＩＰ）(show information packages (SIP))を指すアドレスを含」み、「アイコン５２を有する各テレビ番組は、そのＳＩＰにおいて、後で放映されるべき広告された番組のスケジュール情報、即ち日付、時刻、チャンネル及び長さを指すアドレスを含み、これにより、２つのテレビ番組の情報をリンクする」ものであって、「記録又は視聴機能が選択された場合には」、「チャンネルがチューナー１１から読み取られ、そして時刻がマイクロプロセッサ２４のリアルタイムクロックから読み取られ」、「この情報から、現在テレビ番組のＳＩＰのポインタが、予め確立された時刻リストから検索され」、「マイクロプロセッサ２４が現在テレビ番組に対するＳＩＰを見出」し、ＳＩＰに含まれる「広告された番組に対するスケジュール情報」を用いて「ＶＣＲ」を予約するものである。
　
　したがって、引用例１には以下の発明が記載されている。(以下「引用発明１」という。)
　
「地上アンテナ又はケーブルのようなテレビ信号のソース１０(source of television signals 10)が接続されたテレビチューナー１１(television tuner 11)、ビデオカセットレコーダー（ＶＣＲ）１７(video cassette recorder (VCR) 17)、ディスプレイモニタ（ＴＶ）２０(display monitor (TV) 20)、装置の動作を制御するように構成され即ちプログラムされたマイクロプロセッサ２４(microprocessor 24)、好ましくはリモートＩＲコントローラの形態の視聴者入力装置２８(viewer input device 28)、映像プロセッサ３０(video processor 30)、ＶＢＩ検出器３８(VBI decoder 38)を有する家庭用娯楽システム(home entertainment system)であって、
　テレビチューナー１１(television tuner 11)の出力は、ビデオカセットレコーダー（ＶＣＲ）１７(video cassette recorder (VCR) 17)とディスプレイモニタ（ＴＶ）２０(display monitor (TV) 20)に接続され、
　表示されるテレビ番組は、将来のテレビ番組の告知又は広告を含むものであって、告知の間、その前又はその後に、ＥＰＧ機能が利用できることを示す複数のアイコンがスクリーンに表示され、対応するアイコンを選択することにより呼び出すことのできる異なるＥＰＧ機能を実行するものであって、
　アイコンは広告の間の垂直帰線消去インターバル（“VBI”)に送られ、ＶＢＩ検出器３８(VBI decoder 38)により回復し、映像プロセッサ３０(video processor 30)においてグラフィック形態に変換し、広告映像の上に重ねて表示され、
　アイコンとして、記録を意味するＲという文字を含むアイコン５２ａ、視聴を意味するＷという文字を含むアイコン５２ｂ、詳細を意味するＤという文字を含むアイコン５２ｃを含むものであって、選択されたアイコン５２をクリックすることによりアイコンの１つを選択すると、それに対応するＥＰＧ機能が直接的に呼び出されるものであり、
　記録を意味するＲという文字を含むアイコン５２ａが選択されたときには、広告された番組を、それが後で放映されるときに記録するものであって、広告された番組を１回だけ、毎日、毎週、シリーズ番組として録画するかを選択するメニューが表示され、
　視聴を意味するＷという文字を含むアイコン５２ｂが選択されたときには、広告された番組を、それが後で放映されるときに、テレビをオンに切り換えて視聴するものであって、
　詳細を意味するＤという文字を含むアイコン５２ｃが選択されたときには、広告された番組の詳細をＴＶ２０のスクリーンに表示するものであって、
　時刻及びチャンネルによって検索することができるテレビ番組に関するＥＰＧ情報(EPG information)は、テレビ番組に対するショー情報パッケージ（ＳＩＰ）(show information packages (SIP))を指すアドレスを含み、アイコン５２を有する各テレビ番組は、そのＳＩＰにおいて、後で放映されるべき広告された番組のスケジュール情報、即ち日付、時刻、チャンネル及び長さを指すアドレスを含み、これにより、２つのテレビ番組の情報をリンクするものであって、記録又は視聴機能が選択された場合には、チャンネルがチューナー１１から読み取られ、そして時刻がマイクロプロセッサ２４のリアルタイムクロックから読み取られ、この情報から、現在テレビ番組のＳＩＰのポインタが、予め確立された時刻リストから検索され、マイクロプロセッサ２４が現在テレビ番組に対するＳＩＰを見出し、ＳＩＰに含まれる広告された番組に対するスケジュール情報を用いてＶＣＲを予約する、
　家庭用娯楽システム(home entertainment system)。」
　
３．２．引用例２
３．２．１．引用例２の記載事項
　当審における平成２５年８月８日付の拒絶の理由で引用した国際公開第９８／４８５６６号パンフレット(１９９８年１０月２９日公開。以下「引用例２」という。)には、図面と共に、以下の記載がある。(国際公開第９８／４８５６６号パンフレットに対応する特表２００１−５０１０６８号公報の対応箇所の記載が、翻訳として適切であると認められるので、それを括弧内に併記する。)
　
“BACKGROUND　
The present invention is a system wherein television program-related information (PRI) is embedded in the vertical blinking interval (VBI) of a television signal for display on a viewer's television screen at the same time as the television program. The PRI is typically contained in an Internet site, the addresses for which are embedded in the television signal. The Internet site addresses may also be transmitted synchronously with, but separate from the video portion, e.g., via an interface device such as a telephone or cable modem. Typically such an enhanced television program consists of a display with the video portion of the program in a picture-in-picture (PIP) window and the PRI in the remaining portion of the display area of the television screen.　
This PRI may be any textual or graphic information associated with the current television program. The PRI may consist of a textual display of a World Wide Web (WWW) or other Internet site address to which the viewer can choose to link to through a connection with an Internet Service Provider. Alternatively, the PRI may be contained in one or more Web pages, the addresses of which are inserted into the vertical blanking interval (VBI) and are automatically retrieved by the user's terminal and displayed on the display screen. Some examples of PRI are cast members' biographies, trivia about the show, information relating to the particular episode or scene, and closeups of information that cannot be readily seen or is hidden in the video portion of the program. Some of the PRI may be time dependent on the program. For example, the PRI may change to correspond to a particular scene or frame of the television program.　
With so much information on the screen, some of which may be changing at a fairly rapid pace, it is desirable to provide the viewer the option of pausing a particular frame of a text-enhanced program display and then resume viewing the program without losing continuity of the video and PRI portions of the program or program content.　
According to one embodiment of the invention, a television system is provided which allows a viewer of a PRI-enhanced television program to pause the program at a particular flame, examine the PRI at his or her leisure, perhaps browse through pother, linked Web pages, and then resume viewing the program from that frame, without losing continuity of the video and PRI portions of the program or program content.”(第１頁第１２行〜第２頁第１５行)
「発明の分野
　本発明は、テレビジョンプログラムと同時にテレビジョンプログラム−関連情報（ＰＲＩ）が視聴者のテレビジョン画面のディスプレイに対するテレビジョン信号の垂直帰線消去期間（ＶＢＩ）に組込まれたシステムである。ＰＲＩは、アドレスがテレビジョン信号に組込まれた、インターネットサイトに一般に含まれる。また、インターネットサイトアドレスは、例えば、電話機又はケーブルモデムのようなインタフェースデバイスを介して、ビデオ部分と同期して、しかし別々に送信されうる。一般にそのような「エンハンスド」テレビジョンプログラムは、ピクチャ−イン−ピクチャ（ＰＩＰ）ウィンドウのプログラムのビデオ部分を有するディスプレイとテレビジョン画面におけるディスプレイエリアの残りの部分のＰＲＩとにより構成される。
　このＰＲＩは、現行テレビジョンプログラムに関連するテキスト又はグラフィック情報でありうる。ＰＲＩは、インターネットサービスプロバイダとの接続を介して視聴者がリンクすることを選択できるワールドワイドウェブ（ＷＷＷ）又は他のインターネットサイトアドレスのテキストディスプレイにより構成されうる。代替的に、ＰＲＩは、アドレスが垂直帰線消去期間（ＶＢＩ）に挿入されかつユーザの端末装置によって自動的に検索されかつディスプレイ画面上に表示される、一つ以上のウェブページに含まれうる。ＰＲＩの例は、キャストメンバの伝記的記録、ショーに関する事項、特定のエピソード又はシーンに関する情報、及びすぐに見ることができないか又はプログラムのビデオ部分に隠れた情報のクローズアップである。ＰＲＩのあるものは、プログラムに時間依存しうる。例えば、ＰＲＩは、テレビジョンプログラムの特定のシーン又はフレームに対応すべく変化しうる。
発明の背景及び目的
　画面上に多くの情報があるが、そのあるものはかなり速いペースで変化しており、テキスト−エンハンスドプログラムディスプレイの特定のフレームを一時停止しそしてプログラム又はプログラム内容のビデオ及びＰＲＩ部分の連続性を損なうことなくプログラムを見ることを再開する選択（オプション）を視聴者に供給することが望ましい。
　本発明の一実施例によれば、ＰＲＩ−エンハンスドテレビジョンプログラムの視聴者に特定のフレームでプログラムを一時停止させ、視聴者が暇な時間にＰＲＩを試験させ、あるいは他の、リンクされたウェブページを介して閲覧させ、そして、プログラム又はプログラム内容のビデオ及びＰＲＩ部分の連続性を損なうことなしに、そのフレームからプログラムを見ることを再開させるテレビジョンシステムが提供される。」(第６頁第８行〜第７頁第１４行)
 
“1. Apparatus for time-shifting video and program related information (PRI) in an 5 enhanced television program comprising:　
　a display screen;　
　a tuner for receiving a television signal with embedded data representative of an address for an Internet site including PRI;　
　means for extracting the embedded data from the television signal;　
　a memory for storing the embedded data;　
　input means for inputting viewer commands;　
　a time-shifting apparatus capable of simultaneously storing the television signal as it i received and outputting the stored television signal for display;　
　means for communicating with an internet service provider to retrieve information from the internet site including the PRI; and　
　a microcontroller comprising
　　means for retrieving the internet site address from memory and retrieving the PRI from the internet site in response to a first viewer command;　
　　means for generating a composite display including a television program contained in the television signal in a first portion of the display and the PRI in a second portion of the display in response to the first viewer command,　
　　means for controlling the time-shifting apparatus to store the television signal as it is received and display a still frame from the stored television signal in a first portion of the display screen in response to a second viewer command, and　
　　means for controlling the time-shifting apparatus to output the portion of the stored television signal subsequent to the still frame for display in the first portion of the display in response to a third viewer command.”(第１１頁第４〜３５行)
(『１．エンハンスドテレビジョンプログラムにおけるビデオ及びプログラム関連情報（ＰＲＩ）をタイムシフトする装置であって：
　ディスプレイ画面；
　ＰＲＩを含むインターネットサイトに対するアドレスを表す埋設データを有するテレビジョン信号を受信するためのチューナ；
　前記テレビジョン信号から前記埋込データを抽出するための手段；
　前記埋込データを記憶するためのメモリ；
　視聴者命令を入力するための入力手段；
　それが受信された通りに前記テレビジョン信号を記憶すると同時にディスプレイのために該記憶したテレビジョン信号を出力することができるタイムシフト装置；
　前記ＰＲＩを含む前記インターネットサイトから情報を検索すべくインターネットサービスプロバイダと通信するための手段；及び
　メモリから前記インターネットサイトアドレスを検索しかつ最初の視聴者命令に応じて該インターネットサイトから前記ＰＲＩを検索するための手段；
　前記第１の視聴者命令に応じて前記ディスプレイの第１の部分の前記テレビジョン信号及び該ディスプレイの第２の部分の前記ＰＲＩに含まれるテレビジョンプログラムを含む複合ディスプレイを発生するための手段；
　第２の視聴者命令に応じてそれが受信された通りに前記テレビジョン信号を記憶しかつ前記ディスプレイ画面の第１の部分の当該憶されたテレビジョン信号からスチールフレームを表示すべく前記タイムシフト装置を制御するための手段；及び
　第３の視聴者命令に応じて前記ディスプレイの前記第１の部分のディスプレイに対して前記スチールフレームに後続する前記記憶されたテレビジョン信号の部分を出力すべく前記タイムシフト装置を制御するための手段
　を含んでいるマイクロコントローラ
を備えていることを特徴とする装置。』(第２頁第２行〜第３頁第３行))
　
３．２．２．引用例２記載の発明
　ここで、上記記載を検討する。
　
　第一に、引用例２の上記“The present invention is a system wherein television program-related information (PRI) is embedded in the vertical blinking interval (VBI) of a television signal for display on a viewer's television screen at the same time as the television program.”(第１頁第１４〜１６行)(「本発明は、テレビジョンプログラムと同時にテレビジョンプログラム−関連情報（ＰＲＩ）が視聴者のテレビジョン画面のディスプレイに対するテレビジョン信号の垂直帰線消去期間（ＶＢＩ）に組込まれたシステムである。」(第６頁第９〜１１行))との記載からみて、引用例２記載の発明は「テレビジョンプログラムと同時にテレビジョンプログラム−関連情報（ＰＲＩ）が視聴者のテレビジョン画面のディスプレイに対するテレビジョン信号の垂直帰線消去期間（ＶＢＩ）に組込まれたシステム」に関するものである。
　第二に、引用例２の上記“This PRI may be any textual or graphic information associated with the current television program.”(第１頁第２５〜２６行)(「このＰＲＩは、現行テレビジョンプログラムに関連するテキスト又はグラフィック情報でありうる。」(第６頁第１９〜２０行))との記載からみて、引用例２記載の発明の「テレビジョンプログラム−関連情報（ＰＲＩ）」は「現行テレビジョンプログラムに関連するテキスト又はグラフィック情報であ」る。
　第三に、引用例２の上記“According to one embodiment of the invention, a television system is provided which allows a viewer of a PRI-enhanced television program to pause the program at a particular flame, examine the PRI at his or her leisure, perhaps browse through pother, linked Web pages, and then resume viewing the program from that frame, without losing continuity of the video and PRI portions of the program or program content.”(第２頁第１０〜１５行)(「本発明の一実施例によれば、ＰＲＩ−エンハンスドテレビジョンプログラムの視聴者に特定のフレームでプログラムを一時停止させ、視聴者が暇な時間にＰＲＩを試験させ、あるいは他の、リンクされたウェブページを介して閲覧させ、そして、プログラム又はプログラム内容のビデオ及びＰＲＩ部分の連続性を損なうことなしに、そのフレームからプログラムを見ることを再開させるテレビジョンシステムが提供される。」(第７頁第９〜１４行))との記載からみて、引用例２記載の発明は「視聴者に特定のフレームでプログラムを一時停止させ、視聴者が暇な時間にＰＲＩを閲覧させ、そして、プログラム又はプログラム内容のビデオ及びＰＲＩ部分の連続性を損なうことなしに、そのフレームからプログラムを見ることを再開させるテレビジョンシステム」である。
　第四に、引用例２の上記“1. Apparatus for time-shifting video and program related information (PRI) in an 5 enhanced television program comprising: a display screen; a tuner for receiving a television signal with embedded data representative of an address for an Internet site including PRI; means for extracting the embedded data from the television signal; a memory for storing the embedded data; input means for inputting viewer commands; a time-shifting apparatus capable of simultaneously storing the television signal as it i received and outputting the stored television signal for display; means for communicating with an internet service provider to retrieve information from the internet site including the PRI; and a microcontroller comprising means for retrieving the internet site address from memory and retrieving the PRI from the internet site in response to a first viewer command; means for generating a composite display including a television program contained in the television signal in a first portion of the display and the PRI in a second portion of the display in response to the first viewer command, means for controlling the time-shifting apparatus to store the television signal as it is received and display a still frame from the stored television signal in a first portion of the display screen in response to a second viewer command, and means for controlling the time-shifting apparatus to output the portion of the stored television signal subsequent to the still frame for display in the first portion of the display in response to a third viewer command.”(第１１頁第４〜３５行)(「１．エンハンスドテレビジョンプログラムにおけるビデオ及びプログラム関連情報（ＰＲＩ）をタイムシフトする装置であって：ディスプレイ画面；ＰＲＩを含むインターネットサイトに対するアドレスを表す埋設データを有するテレビジョン信号を受信するためのチューナ；前記テレビジョン信号から前記埋込データを抽出するための手段；前記埋込データを記憶するためのメモリ；視聴者命令を入力するための入力手段；それが受信された通りに前記テレビジョン信号を記憶すると同時にディスプレイのために該記憶したテレビジョン信号を出力することができるタイムシフト装置；前記ＰＲＩを含む前記インターネットサイトから情報を検索すべくインターネットサービスプロバイダと通信するための手段；及びメモリから前記インターネットサイトアドレスを検索しかつ最初の視聴者命令に応じて該インターネットサイトから前記ＰＲＩを検索するための手段；前記第１の視聴者命令に応じて前記ディスプレイの第１の部分の前記テレビジョン信号及び該ディスプレイの第２の部分の前記ＰＲＩに含まれるテレビジョンプログラムを含む複合ディスプレイを発生するための手段；第２の視聴者命令に応じてそれが受信された通りに前記テレビジョン信号を記憶しかつ前記ディスプレイ画面の第１の部分の当該憶されたテレビジョン信号からスチールフレームを表示すべく前記タイムシフト装置を制御するための手段；及び第３の視聴者命令に応じて前記ディスプレイの前記第１の部分のディスプレイに対して前記スチールフレームに後続する前記記憶されたテレビジョン信号の部分を出力すべく前記タイムシフト装置を制御するための手段を含んでいるマイクロコントローラを備えていることを特徴とする装置。』(第２頁第２行〜第３頁第３行))との記載からみて、引用例２記載の発明は「ディスプレイ画面；ＰＲＩを含む埋設データを有するテレビジョン信号を受信するためのチューナ；前記テレビジョ��信号から前記埋込データを抽出するための手段；前記埋込データを記憶するためのメモリ；視聴者命令を入力するための入力手段；それが受信された通りに前記テレビジョン信号を記憶すると同時にディスプレイのために該記憶したテレビジョン信号を出力することができるタイムシフト装置；前記第１の視聴者命令に応じて前記ディスプレイの第１の部分の前記テレビジョン信号及び該ディスプレイの第２の部分の前記ＰＲＩに含まれるテレビジョンプログラムを含む複合ディスプレイを発生するための手段；第２の視聴者命令に応じてそれが受信された通りに前記テレビジョン信号を記憶しかつ前記ディスプレイ画面の第１の部分の当該憶されたテレビジョン信号からスチールフレームを表示すべく前記タイムシフト装置を制御するための手段；及び第３の視聴者命令に応じて前記ディスプレイの前記第１の部分のディスプレイに対して前記スチールフレームに後続する前記記憶されたテレビジョン信号の部分を出力すべく前記タイムシフト装置を制御するための手段を含んでいるマイクロコントローラを備えていることを特徴とする」ものである。
　
　したがって、引用例２には以下の発明(以下「引用発明２」という。)が記載されている。
　
「テレビジョンプログラムと同時にテレビジョンプログラム−関連情報（ＰＲＩ）が視聴者のテレビジョン画面のディスプレイに対するテレビジョン信号の垂直帰線消去期間（ＶＢＩ）に組込まれたシステムであって、
　テレビジョンプログラム−関連情報（ＰＲＩ）は、現行テレビジョンプログラムに関連するテキスト又はグラフィック情報であり、
　視聴者に特定のフレームでプログラムを一時停止させ、視聴者が暇な時間にＰＲＩを閲覧させ、そして、プログラム又はプログラム内容のビデオ及びＰＲＩ部分の連続性を損なうことなしに、そのフレームからプログラムを見ることを再開させるテレビジョンシステムであって、
　ディスプレイ画面；ＰＲＩを含む埋設データを有するテレビジョン信号を受信するためのチューナ；前記テレビジョン信号から前記埋込データを抽出するための手段；前記埋込データを記憶するためのメモリ；視聴者命令を入力するための入力手段；それが受信された通りに前記テレビジョン信号を記憶すると同時にディスプレイのために該記憶したテレビジョン信号を出力することができるタイムシフト装置；前記第１の視聴者命令に応じて前記ディスプレイの第１の部分の前記テレビジョン信号及び該ディスプレイの第２の部分の前記ＰＲＩに含まれるテレビジョンプログラムを含む複合ディスプレイを発生するための手段；第２の視聴者命令に応じてそれが受信された通りに前記テレビジョン信号を記憶しかつ前記ディスプレイ画面の第１の部分の当該憶されたテレビジョン信号からスチールフレームを表示すべく前記タイムシフト装置を制御するための手段；及び第３の視聴者命令に応じて前記ディスプレイの前記第１の部分のディスプレイに対して前記スチールフレームに後続する前記記憶されたテレビジョン信号の部分を出力すべく前記タイムシフト装置を制御するための手段を含んでいるマイクロコントローラを備えていることを特徴とする
　システム。」
　
３．３．引用例３
３．３．１．引用例３の記載事項
　当審における平成２５年８月８日付の拒絶の理由で引用した特開平９−１６２８２１号公報(１９９７年６月２０日公開。以下「引用例３」という。)には、図面と共に、以下の記載がある。
　
「【００１３】この発明は上記事情に着目してなされたもので、その目的とするところは、視聴中の番組に関連する他の番組を試聴しようとする場合の番組の選択指定を簡単かつ迅速にしかも適確に行なえるようにし、これによりユーザの番組選択操作性の向上を図り得る多重放送システムとその放送送信装置および放送受信装置を提供することにある。」
「【００１４】
【課題を解決するための手段】上記目的を達成するためにこの発明は、送信側において、複数の番組の各々について、当該番組と所定の関連性を有する他の番組を表わすリンク情報を上記複数の番組に多重して送信し、受信側において、上記送信側から送られた放送信号に多重されている複数の番組の中から所望の番組を選択して再生出力する際に、当該選択した番組について作成された上記リンク情報を受信選択して視聴者に提示し、この提示されたリンク情報に基づく番組の変更要求が視聴者により入力された場合に、この変更要求および上記提示中のリンク情報に基づいて、再生出力する番組を変更するようにしたものである。」
「【００１５】したがってこの発明によれば、受信側では、任意の番組の視聴中にこの番組と所定の関連性を有するリンク情報が併せて例えば表示される。このためユーザは視聴中の番組と関連性を有する他の番組を視聴したい場合には、表示されているリンク情報を基に番組指定を行なうことにより所望の番組を視聴することが可能となる。このため、受信チャネルの切り替え操作や、ＰＡＴのデコード結果から所望の番組を探す操作等を試行錯誤的に繰り返し行なう必要がなくなり、この結果所望の番組を簡単かつ短時間でしかも適切に再生させることが可能となって、ユーザの番組選択に係わる操作性は大幅に改善される。」
「【００２２】ＰＭＴ出力部２６は、番組に対応したプログラムマップテーブルを保持している。リンク情報出力部２７は、各番組に対応したリンク情報テーブルを保持している。そして、これらのＰＭＴ出力部２６およびリンク情報出力部２７に保持されたプログラムマップテーブルのデータおよびリンク情報テーブルのデータは、上記パケット多重コントローラ２５の読出し制御によりほぼ一定の間隔で読み出されて、上記各映像データおよび音声データに時分割多重される。」
「【００２３】ところで、上記リンク情報テーブルは、番組ごとに、さらには同一番組中においてもその時間経過に応じて変化するもので、その内容は例えば次のようなバリエーションを有している。」
「【００２４】（１）先ずジャンルを問わないリンクを形成する場合には、各番組に応じてジャンルを問わないリンク情報テーブルを生成し送出する。例えば図４に示すごとくレッスンの番組に対しては、ゴルフ、テニスおよびＴＯＰの番組をリンクさせ、これらのリンク先の番組のタイトル、放送チャネル周波数、映像データのＰＩＤ、音声データのＰＩＤ、情報データのＰＩＤおよびリンク情報のＰＩＤによりリンク情報を構成する。」
「【００２５】（２）スポーツ番組に対するリンクを形成する場合には、そのジャンルの他会場で行なわれている試合の途中経過を逐次更新しているデータベースのタイトル、その放送チャネル周波数、映像データのＰＩＤ、音声データのＰＩＤ、情報データのＰＩＤおよびリンク情報のＰＩＤをリンク情報に含める。また、その試合に出場している選手のプロフィール等の情報を保持しているデータベースのタイトル、その放送チャネル周波数、映像データのＰＩＤ、音声データのＰＩＤ、情報データのＰＩＤおよびリンク情報のＰＩＤをリンク情報に含めてもよい。さらには、他会場での試合を中継している番組のタイトル、その放送チャネル周波数、映像データのＰＩＤ、音声データのＰＩＤ、情報データのＰＩＤおよびリンク情報のＰＩＤをリンク情報に含めてもよい。」
「【００２６】（３）ニュースまたはドキュメンタリ番組に対するリンクを形成する場合には、そのニュースまたはドキュメンタリ番組の内容をさらに詳しく説明している番組のタイトル、その放送チャネル周波数、映像データのＰＩＤ、音声データのＰＩＤ、情報データのＰＩＤおよびリンク情報のＰＩＤをリンク情報に含める。」
「【００２７】（４）ドラマ番組に対するリンクを形成する場合には、マルチエンディングにするために同時に放送している他のサブ番組のタイトル、その放送チャネル周波数、映像データのＰＩＤ、音声データのＰＩＤ、情報データのＰＩＤおよびリンク情報のＰＩＤをリンク情報に含める。」
「【００２８】（５）如何なるジャンルの番組を放送している場合にも緊急放送の番組をリンクさせ、そのタイトル、その放送チャネル周波数、映像データのＰＩＤ、音声データのＰＩＤ、情報データのＰＩＤおよびリンク情報のＰＩＤをリンク情報に含める。」
「【００２９】なお、上記（１）〜（５）で生成したリンク情報には、タイトル、放送チャネル周波数および各データのＰＩＤの他に、情報の内容を示すアイコンや、アイコンのディスプレイ画面上における表示位置、タイトルの表示フォントを指定する情報等を加えてもよい。」
　
３．３．２．引用例３記載の発明
　ここで、上記記載を検討する。
　
　第一に、引用例３の上記段落【００１３】の記載からみて、引用例３記載の発明は「視聴中の番組に関連する他の番組を試聴しようとする場合の番組の選択指定を簡単かつ迅速にしかも適確に行なえるよう」にするための「ユーザの番組選択操作性の向上を図り得る多重放送システム」である。
　第二に、引用例３の上記段落【００１４】の記載からみて、引用例３記載の発明は「送信側において、複数の番組の各々について、当該番組と所定の関連性を有する他の番組を表わすリンク情報を上記複数の番組に多重して送信し、受信側において、上記送信側から送られた放送信号に多重されている複数の番組の中から所望の番組を選択して再生出力する際に、当該選択した番組について作成された上記リンク情報を受信選択して視聴者に提示し、この提示されたリンク情報に基づく番組の変更要求が視聴者により入力された場合に、この変更要求および上記提示中のリンク情報に基づいて、再生出力する番組を変更するようにし」たものである。
　第三に、引用例３の上記段落【００２３】〜【００２９】の記載からみて、引用例３記載の発明の「リンク情報」は「番組ごとに、さらには同一番組中においてもその時間経過に応じて変化するもの」であって「リンク先の番組のタイトル、放送チャネル周波数、映像データのＰＩＤ、音声データのＰＩＤ、情報データのＰＩＤおよびリンク情報のＰＩＤ」を含むものである。
　
　したがって、引用例３には以下の発明(以下「引用発明３」という。)が記載されている。
　
「視聴中の番組に関連する他の番組を試聴しようとする場合の番組の選択指定を簡単かつ迅速にしかも適確に行なえるようにするためのユーザの番組選択操作性の向上を図り得る多重放送システムであって、
　送信側において、複数の番組の各々について、当該番組と所定の関連性を有する他の番組を表わすリンク情報を上記複数の番組に多重して送信し、受信側において、上記送信側から送られた放送信号に多重されている複数の番組の中から所望の番組を選択して再生出力する際に、当該選択した番組について作成された上記リンク情報を受信選択して視聴者に提示し、この提示されたリンク情報に基づく番組の変更要求が視聴者により入力された場合に、この変更要求および上記提示中のリンク情報に基づいて、再生出力する番組を変更するようにし、
　リンク情報は、番組ごとに、さらには同一番組中においてもその時間経過に応じて変化するものであって、リンク先の番組のタイトル、放送チャネル周波数、映像データのＰＩＤ、音声データのＰＩＤ、情報データのおよびリンク情報のＰＩＤを含む、
　多重放送システム。」
　
４．対比
　ここで、本願発明と引用発明１を対比する。
　
４．１．「受信機でビデオ・ストリームを受信するステップ」
　この出願の明細書(平成２５年７月２６日付手続補正書で補正されたもの)の「【００２１】図１を参照すると、本発明の好適な実施例は、入力セクション101、メディア・スイッチ102および出力セクション103を有する。入力セクション101は、多数の形（例えば、NTSC(National Television Standards Committee)放送またはPAL放送）で、およびDSS(Digital Satellite System)、DBS(Digital Broadcast Services)またはATSC(Advanced Television Standards Committee)のようなデジタルの形でテレビ(TV)入力ストリームを取り込む。DBS、DSS、およびATSCは、MPEG2(Moving Pictures Experts Group 2)標準およびMPEG2トランスポート (Transport)に基づく。MPEG2トランスポートは、テレビ受像機が入力ストリームを分解して多重化信号内の番組を見つけ出すことを可能にする、TVソース・トランスミッタからのデジタル・データ・ストリームをフォーマットするための標準である。入力セクション101は、MPEGストリームを生成する。MPEG2トランスポート・マルチプレックスは、マルチプルのビデオおよび音声の送りと個人的なデータを有する同じ放送チャネル内のマルチプル番組をサポートする。入力セクション101は、チャネルを特定の番組にチューニングさせて、それからの特定のMPEG番組を抽出し、かつ他のシステムにそれを送る。アナログTV信号は、別個のビデオおよびオーディオのエンコーダを使用して、類似したMPEG形式にエンコードされる。その結果、システムの残りの部分は、どのようにしてその信号が得られたかを知らない。情報は、多数の標準方法でアナログTV信号のVBI(垂直同期間隔：Vertical Blanking Interval)に変調することが出来る。例えば、FCCがCC(クローズド・キャプション：Closed Caption)およびEDS(拡張データ・サービス：Extended Data Services)のためにライン21の使用を強制するが、NABTS(北米放送テレテキスト標準：North American Broadcast Teletext Standard)を、NTSC信号のライン10から20へ情報を変調するために使用することが出来る。このような信号は、あたかもそれらがMPEG2の個人的なデータ・チャネルを介して配信されたように、入力セクションによってデコ―ドされ、かつ他のセクションにパスされる。」との記載からみて、本願発明の受信する「ビデオ・ストリーム」は「アナログTV信号」であっても、DBS、DSS、およびATSCのようなMPEG2(Moving Pictures Experts Group 2)標準およびMPEG2 Transportに基づく「デジタル・データ・ストリーム」であっても良いものと認めることができる。
　これに対し、引用発明１の「家庭用娯楽システム(home entertainment system)」は「引用例１記載の発明は「地上アンテナ又はケーブルのようなテレビ信号のソース１０(source of television signals 10)が接続されたテレビチューナー１１(television tuner 11)」を有しており、引用発明１も「アナログTV信号」を受信するものということができるから、引用発明１と本願発明は「受信機でビデオ・ストリームを受信するステップ」を有する点で一致している。
　
４．２．「前記受信機が、前記受信機に結合されている格納装置上に当該ビデオ・ストリームを格納するステップ」
　本願発明は「前記受信機が、前記重ねられたアイコンと共に前記特定セグメントを再生する間に、前記受信機が、前記視聴者の入力を受信するステップ」「前記受信機が、前記重ねられたアイコンと共に前記特定セグメントを再生する間に、前記受信機が、前記視聴者の入力を受信すると、前記受信機が、前記特定タグ内の前記情報によって示される特有アクションを実行するステップ」を備え「前記特定セグメントが、将来上映されるであろう番組の将来の上映についてのプロモーション広告であり、前記特定タグが、将来上映されるであろう前記番組の番組識別子を含み、前記アイコンが、前記番組がレコーディング可能であることを示」すものであるが、本願明細書(平成２５年７月２６日付手続補正書で補正されたもの)に「【０１２７】（iPreview タグ）図１７を参照すると、iPreviewタグは、4つの情報を含む。第一のタグは、予告されている番組の32ビット・プログラムIDである。第二のタグは、プロモーションがどれくらい長く続くかと言う情報を含む。第三部分は、スクリーン1701上のどこにiPreviewアラート1702を配置するかと言う情報、および、最後の部分は、どのサイズのiPreviewアラートを使用するかと言う情報を含む。」「【０１４２】（iPreview視聴者対話）図17、20、21、および 22に示されるように、iPreviewタグは、Tag Interpreter 2005に、iPreviewアラート1702をスクリーン1701に表示させる。iPreviewアラート1702は、視聴者にアクティブなプロモーションが利用可能であり、視聴者が将来、表示をレコーディングすることをTiVoシステムに知らせることが可能であることを知らせる。視聴者は、遠隔制御2201上の選択・ボタン2204をプレスすることによってiPreviewアラート1702に応答する。Tag Interpreter 2005は、ユーザ入力を待つ。視聴者が予め設定した選好に応じて、選択・ボタン2204のプレスにより、Tag Interpreter 2005によってワンタッチレコーディングになり、自動的に番組のレコーディング予約が入れられるか、または、視聴者に、レコード・オプション・スクリーン2101が提示される。視聴者は、レコーディング予約が入れられた番組を有するようにレコード・メニュ項目2102を強調表示し、そして選択・ボタン2204をプレスする。」と記載されているところからみて、本願発明は、本願明細書(平成２５年７月２６日付手続補正書で補正されたもの)段落【０１２７】〜【０１５３】に記載される「iPreview タグ」を用いた「iPreview視聴者対話」についての実施例と対応するものと認められる。そして、その本願明細書(平成２５年７月２６日付手続補正書で補正されたもの)には「【０１４９】システムが視聴者を番組に戻すときは常に、それは、視聴者が退出したときの元の正確なポイントに戻す。これは、視聴者に連続感覚を与える。」「【０１５０】再指定の概念は、容易にインターネットに拡大される。iPreviewアイコンは、上述のように現れる。視聴者が遠隔制御2201上の選択・ボタン2204をプレスすると、ウェブ・ページが、視聴者に表示される。視聴者は、次いで、ウェブ・ページと対話し、そして終了すると、システムは、視聴者が退出してきた正確なポイントで彼が見ていた番組に、視聴者を戻す。」との記載があるから、本願発明が「前記受信機が、前記受信機に結合されている格納装置上に当該ビデオ・ストリームを格納す��ステップ」を有し「当該格納装置からの当該ビデオ・ストリームを視聴者に表示する」のは、「視聴者が退出してきた正確なポイントで彼が見ていた番組に、視聴者を戻す」ために、その間、番組の表示を停止させるためのものということができる。
　
　これに対し、引用発明１の「家庭用娯楽システム(home entertainment system)」は「テレビチューナー１１(television tuner 11)の出力は、ビデオカセットレコーダー（ＶＣＲ）１７(video cassette recorder (VCR) 17)とディスプレイモニタ（ＴＶ）２０(display monitor (TV) 20)に接続され」るものであって、この「ビデオカセットレコーダー（ＶＣＲ）１７(video cassette recorder (VCR) 17)」は、ビデオ・ストリームを格納するものではあるが、本願発明とは異なり、この「ビデオカセットレコーダー（ＶＣＲ）１７(video cassette recorder (VCR) 17)」は「視聴者が退出してきた正確なポイントで彼が見ていた番組に、視聴者を戻す」ためのものではないから、結局、本願発明が「前記受信機が、前記受信機に結合されている格納装置上に当該ビデオ・ストリームを格納するステップ」を有するのに対し、引用発明１は、それに相当する部分を有さない点で相違する。
　
４．３．「前記受信機が、当該ビデオ・ストリーム内のタグを検出するステップ」
　上記『４．１．「受信機でビデオ・ストリームを受信するステップ」』で摘記した本願明細書(平成２５年７月２６日付手続補正書で補正されたもの)段落【００２１】に「情報は、多数の標準方法でアナログTV信号のVBI(垂直同期間隔：Vertical Blanking Interval)に変調することが出来る。例えば、FCCがCC(クローズド・キャプション：Closed Caption)およびEDS(拡張データ・サービス：Extended Data Services)のためにライン21の使用を強制するが、NABTS(北米放送テレテキスト標準：North American Broadcast Teletext Standard)を、NTSC信号のライン10から20へ情報を変調するために使用することが出来る。このような信号は、あたかもそれらがMPEG2の個人的なデータ・チャネルを介して配信されたように、入力セクションによってデコ―ドされ、かつ他のセクションにパスされる。」と記載されていること、また、本願明細書(平成２５年７月２６日付手続補正書で補正されたもの)には更に「【００３６】パーサ705は、MPEGエンコーダ703、オーディオ・エンコーダ704およびVBIデコーダ702から、入力データ・ストリームを解析し、また、デジタルTVストリームの場合、トランスポート・デマルチプレクサから、入力データ・ストリームを解析する。パーサ705は、ビデオまたはオーディオのストリーム内の重要なイベントの全部の開始、フレームの全部の開始、シーケンス・ヘッダの開始を検出する。すなわち、それは、プログラム・ロジックが、適切に再生し、かつストリーム上の特殊効果（例えば速送り、逆再生、再生、停止、高速／低速再生、インデクシング、および高速／低速逆再生）を行うために知る必要がある情報の全部を検出する。」「【００３７】パーサ705は、それがビデオまたはオーディオのセグメントを識別した場合、またはそれに個人的なデータが与えられた場合、FIFO 706にタグ707を配置する。DMA 709は、これらのタグが何時外へ取り出されるかを制御する。セグメントのタグ707およびDMAアドレスは、イベント待ち行列708に配置される。フレーム型情報は、それがビデオI-フレーム、ビデオB-フレーム、ビデオP-フレーム、ビデオPES、オーディオPES、シーケンス・ヘッダ、オーディオ・フレームまたは個人的なデータパケットの開始であるにせよ、情報が配置された関連する循環バッファ内のオフセットとともにイベント待ち行列708に配置される。CPU 713内で動作しているプログラム・ロジックは、それがDRAM 714に転送された後、循環バッファ内のイベントを検討する。」「【００７３】（ビデオ・ストリーム・タグ・アーキテクチャ）再び図１２を参照すると、タグは、テレビ・ストリーム1201で生じるアブストラクト・イベントである。これらは、アナログ信号のVBIにまたはMPEG2マルチプレックスの個人的なデータ・チャネルに埋め込むことが出来る。上述したように、タグは、クローズド・キャプション(CC)・フィールドに埋め込むことが出来、かつ循環バッファ1203または記憶割当てスキーマ内に抽出することが出来る。ワード・パーサ1204は、CCデータのその走査の間、固有のタグを識別する。タグは、標準CC制御コードと共に点在する。タグは、例えば、現在の時刻および視聴されている番組に基づいて、暗示的に発生させることも出来る。」と記載されているところからみて、本願発明の「ビデオ・ストリーム内のタグ」は「アナログTV信号のVBI(Vertical Blanking Interval)」に埋め込まれていても良いものであって、それが「VBIデコーダ702」「パーサ705」によって検出されるものである。これに対し、引用発明１の「家庭用娯楽システム(home entertainment system)」の「表示されるテレビ番組は、将来のテレビ番組の告知又は広告を含むものであって、告知の間、その前又はその後に、ＥＰＧ機能が利用できることを示す複数のアイコンがスクリーンに表示され、対応するアイコンを選択することにより呼び出すことのできる異なるＥＰＧ機能を実行するものであって、アイコンは広告の間の垂直帰線消去インターバル（“VBI”)に送られ、ＶＢＩ検出器３８(VBI decoder 38)により回復し、映像プロセッサ３０(video processor 30)においてグラフィック形態に変換し、広告映像の上に重ねて表示され、アイコンとして、記録を意味するＲという文字を含むアイコン５２ａ、視聴を意味するＷという文字を含むアイコン５２ｂ、詳細を意味するＤという文字を含むアイコン５２ｃを含むものであって、選択されたアイコン５２をクリックすることによりアイコンの１つを選択すると、それに対応するＥＰＧ機能が直接的に呼び出されるもの」である。
　そうすると、引用発明１の「アイコン」と本願発明の「ビデオ・ストリーム内のタグ」は、いずれも「垂直帰線消去インターバル（“VBI”)」の間に送られている情報である点で一致しており、その点で、引用発明１の「アイコン」は本願発明の「ビデオ・ストリーム内のタグ」に相当するということができる。そして、それを前提とすると、引用発明１の「ＶＢＩ検出器３８(VBI decoder 38)」は、その情報である「アイコン」を検出している点で、本願発明の「前記受信機が、当該ビデオ・ストリーム内のタグを検出するステップ」に対応する処理を行っているということができる。
　
４．４．「前記受信機が、当該タグを処理するステップ」
　引用発明１の「家庭用娯楽システム(home entertainment system)」は「アイコン」について「告知の間、その前又はその後に、ＥＰＧ機能が利用できることを示す複数のアイコンがスクリーンに表示され、対応するアイコンを選択することにより呼び出すことのできる異なるＥＰＧ機能を実行するもの」であって、この「アイコン」に対して処理を行っているということができるから、引用発明１は本願発明と同様に「前記受信機が、当該タグを処理するステップ」を有しているということができる。
　
４．５．「前記受信機が、当該格納装置からの当該ビデオ・ストリームを視聴者に表示するステップ」
　引用発明１の「家庭用娯楽システム(home entertainment system)」は「テレビチューナー１１(television tuner 11)の出力は、ビデオカセットレコーダー（ＶＣＲ）１７(video cassette recorder (VCR) 17)とディスプレイモニタ（ＴＶ）２０(display monitor (TV) 20)に接続され」るものであるから、引用発明１と本願発明は「前記受信機が、当該ビデオ・ストリームを視聴者に表示するステップ」を有する点で一致しているということができるが、上記『４．２．「前記受信機が、前記受信機に結合されている格納装置上に当該ビデオ・ストリームを格納するステップ」』でも述べたように、本願発明が「前記受信機が、前記受信機に結合されている格納装置上に当該ビデオ・ストリームを格納するステップ」を有するのに対し、引用発明１は、それに相当する部分を有さない点で相違しているため、「視聴者に表示」される「ビデオストリーム」が、本願発明では「当該格納装置からの当該」ビデオストリームであるのに対し、引用発明１は、そのようなものではない点で相違する。
　
４．６．「前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップ」
　ここで、本願発明の「特定タグ」が備える「前記アイコンを表示する間に受信される視聴者の入力に応答して実行される特有アクションとを示す情報」が具体的にどのようなものを指すのか、本願明細書の記載を勘案して検討する。
　
　まず、上記『４．２．「前記受信機が、前記受信機に結合されている格納装置上に当該ビデオ・ストリームを格納するステップ」』でも述べたように、本願発明は、本願明細書(平成２５年７月２６日付手続補正書で補正されたもの)段落【０１２７】〜【０１５３】に記載される「iPreview タグ」を用いた「iPreview視聴者対話」についての実施例と対応するものと認められる。そして、その本願明細書(平成２５年７月２６日付手続補正書で補正されたもの)には『【０１２７】（iPreview タグ）図１７を参照すると、iPreviewタグは、4つの情報を含む。第一のタグは、予告されている番組の32ビット・プログラムIDである。第二のタグは、プロモーションがどれくらい長く続くかと言う情報を含む。第三部分は、スクリーン1701上のどこにiPreviewアラート1702を配置するかと言う情報、および、最後の部分は、どのサイズのiPreviewアラートを使用するかと言う情報を含む。』『【０１３３】予備文字は、現在使っていない。制御コードが、最後には2-バイト境界に適切に配置されるために、この文字は存在することを必要とする。iPreviewタグの第一の文字は、常に「i」である。』『【０１３４】データフィールドの全ては、ビット境界に一緒にパックされ、次いで、（0x20を加えることによって）文字に変換される6ビット値に分解され、そして送信される。フィールドの順番は、次の通りである：・32ビット：プログラムID　・9ビット：X位置　・8ビット：Y位置　・4ビット：グラフィック・サイズ　・10ビット：タイムアウト　・1文字：バージョン　・1文字：予備』『【０１３５】データフィールドは、送信するための11の文字 + バージョンのための1つの文字と予備の1つの文字とを必要とする全66のビットである。各文字の正確なコンテンツは、以下の通りである：1) 0x20 + ID[31：26 ]　2) 0x20 + ID[25：20 ]　3) 0x20+ID[19：14 ]　4) 0x20 + ID[13：8 ]　5) 0x20 + ID[7：2 ]　6) 0x20 + ID[1：0 ] X[8：5 ]　7) 0x20 + X[4：0 ] Y[7]
　8) 0x20 + Y[6：1 ]　9) 0x20 + Y[0] size[3：0 ]　10) 0x20 + Y[0] size[3：0 ] timeout[9]　11) 0x20 + timeout[8：3 ]　12) 0x20 + timeout[2：0 ]　13) 0x20+version　14) 予備』『【０１３６】第一の文字「i」を含むと、iPreviewタグの長さは、14文字+ 3 CRC文字である。タグ・ヘッダ（3文字）によって、これは、10フレームで送信出来る20文字の全長を作る。二度「再開・キャプション・ローディング」を送信しかつ二度「イレーズ・ノンディスプレード・メモリ」を送信するために4つの他のフレームを加えることは、iPreviewタグが、放送に4フレーム（0.47秒）必要とすることを意味する。』との記載があるところからみて、本願明細書(平成２５年７月２６日付手続補正書で補正されたもの)段落【０１２７】〜【０１５３】に記載される「iPreview タグ」は「予告されている番組の32ビット・プログラムID」「プロモーションがどれくらい長く続くかと言う情報」「スクリーン1701上のどこにiPreviewアラート1702を配置するかと言う情報」「どのサイズのiPreviewアラートを使用するかと言う情報」という「４つの情報」を含んでおり、また、『タグの第一の文字は、常に「i」である』という情報が、そのタグが「iPreviewタグ」であることを示しているといえる。更に、本願明細書(平成２５年７月２６日付手続補正書で補正されたもの)の「【０１３９】（iPreview視聴者対話）図１７、２０、２１および２２に示されるように、iPreviewタグは、タグ・インタープリータ(Tag Interpreter) 2005に、iPreviewアラート1702をスクリーン1701に表示させる。iPreviewアラート1702は、視聴者に、アクティブなプロモーションが利用可能であることを知らせることが出来、かつ視聴者は、TiVoシステムに、将来の上映をレコーディングすることを知らせることが出来る。視聴者は、遠隔制御2201上の選択ボタン2204を押すことによってiPreviewアラート1702に応答する。」との記載からみて、本願明細書(平成２５年７月２６日付手続補正書で補正されたもの)段落【０１２７】〜【０１５３】に記載される「iPreview タグ」自体が「将来の上映をレコーディングすること」という機能を実行させるという情報を有しているということができ、上記したように、『タグの第一の文字は、常に「i」である』という情報が、そのタグが「iPreviewタグ」であることを示しているといえるから、この『タグの第一の文字は、常に「i」である』という情報が、そのタグが「iPreviewタグ」であることを示していると共に、「将来の上映をレコーディングすること」という機能を実行させるという情報を有しているということができる。
　
　そして、本願発明の「特定タグ」が備える「前記アイコンを表示する間に受信される視聴者の入力に応答して実行される特有アクションとを示す情報」が、これら本願明細書(平成２５年７月２６日付手続補正書で補正されたもの)の記載のどの部分と対応するか検討する。
　
　そうすると、本願明細書(平成２５年７月２６日付手続補正書で補正されたもの)に記載される、この「４つの情報」である「予告されている番組の32ビット・プログラムID」「プロモーションがどれくらい長く続くかと言う情報」「スクリーン1701上のどこにiPreviewアラート1702を配置するかと言う情報」「どのサイズのiPreviewアラートを使用するかと言う情報」は、そのいずれも、本願発明の「前記アイコンを表示する間に受信される視聴者の入力に応答して実行される特有アクション」を示す情報と対応するものということはできない。しかしながら、上記したように、本願明細書(平成２５年７月２６日付手続補正書で補正されたもの)に記載される「iPreview タグ」自体が「将来の上映をレコーディングすること」という機能を実行させるという情報を有しているということができ、上記したように『タグの第一の文字は、常に「i」である』という情報が、そのタグが「iPreviewタグ」であることを示しているといえ、この『タグの第一の文字は、常に「i」である』という情報が、そのタグが「iPreviewタグ」であることを示していると共に、「将来の上映をレコーディングすること」という機能を実行させるという情報を有しているということができるから、本願発明の「前記アイコンを表示する間に受信される視聴者の入力に応答して実行される特有アクション」を示す情報は、本願明細書(平成２５年７月２６日付手続補正書で補正されたもの)に記載される「iPreview タグ」自体、ないしは、そのタグが「iPreviewタグ」であることを示している『タグの第一の文字は、常に「i」である』という情報を指すものと解釈することができる。
　
　このように、本願発明の「前記アイコンを表示する間に受信される視聴者の入力に応答して実行される特有アクション」を示す情報は、本願明細書(平成２５年７月２６日付手続補正書で補正されたもの)に記載される「iPreview タグ」自体、ないしは、そのタグが「iPreviewタグ」であることを示している『タグの第一の文字は、常に「i」である』という情報を指すものと解釈できることを前提として、本願発明の「前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップ」と引用発明１を以下比較する。
　
　第一に、上記『４．３．「前記受信機が、当該ビデオ・ストリーム内のタグを検出するステップ」』でも述べたように、本願発明の「ビデオ・ストリーム内のタグ」は「アナログTV信号のVBI(Vertical Blanking Interval)」に埋め込まれていても良いものであって、それが「VBIデコーダ702」「パーサ705」によって検出されるものであるから、本願発明の「ビデオ・ストリームの特定セグメント」とは、この「アナログTV信号のVBI(Vertical Blanking Interval)」で区切られる区間をいうものと認めることができる。これに対し、引用発明１の「家庭用娯楽システム(home entertainment system)」の「アイコンは広告の間の垂直帰線消去インターバル（“VBI”)に送られ、ＶＢＩ検出器３８(VBI decoder 38)により回復し、映像プロセッサ３０(video processor 30)においてグラフィック形態に変換し、広告映像の上に重ねて表示され」るものであって、上記『４．３．「前記受信機が、当該ビデオ・ストリーム内のタグを検出するステップ」』でも述べたように、引用発明１の「アイコン」と本願発明の「ビデオ・ストリーム内のタグ」は、いずれも「垂直帰線消去インターバル（“VBI”)」の間に送られ、検出される情報である点で一致しており、また、引用発明１の「アイコン」も、それが送られる「垂直帰線消去インターバル（“VBI”)」で区切られた区間、すなわち、本願発明でいう「特定セグメント」に関連しているということができるから、引用発明１と本願発明は「前記受信機が、前記ビデオ・ストリームの特定セグメントに関連する特定タグを検出するステップ」を有する点で一致している。
　第二に、引用発明１の「アイコンは広告の間の垂直帰線消去インターバル（“VBI”)に送られ、ＶＢＩ検出器３８(VBI decoder 38)により回復し、映像プロセッサ３０(video processor 30)においてグラフィック形態に変換し、広告映像の上に重ねて表示され」るものであって、更に「記録を意味するＲという文字を含むアイコン５２ａ、視聴を意味するＷという文字を含むアイコン５２ｂ、詳細を意味するＤという文字を含むアイコン５２ｃを含むもの」であり、これら「記録を意味するＲという文字を含むアイコン５２ａ」「視聴を意味するＷという文字を含むアイコン５２ｂ」「詳細を意味するＤという文字を含むアイコン５２ｃ」が、本願発明の「表示するアイコン」と一致しているから、引用発明１の「アイコン」は本願発明の「表示するアイコンと、・・・を示す情報」に相当する情報を備えるといえる。
　第三に、引用発明１は「選択されたアイコン５２をクリックすることによりアイコンの１つを選択すると、それに対応するＥＰＧ機能が直接的に呼び出されるものであり、記録を意味するＲという文字を含むアイコン５２ａが選択されたときには、広告された番組を、それが後で放映されるときに記録するものであって、広告された番組を１回だけ、毎日、毎週、シリーズ番組として録画するかを選択するメニューが表示され、視聴を意味するＷという文字を含むアイコン５２ｂが選択されたときには、広告された番組を、それが後で放映されるときに、テレビをオンに切り換えて視聴するものであって、詳細を意味するＤという文字を含むアイコン５２ｃが選択されたときには、広告された番組の詳細をＴＶ２０のスクリーンに表示するもの」であって、引用発明１の「記録を意味するＲという文字を含むアイコン５２ａが選択されたときには、広告された番組を、それが後で放映されるときに記録するものであって、広告された番組を１回だけ、毎日、毎週、シリーズ番組として録画するかを選択するメニューが表示され」るという動作、「視聴を意味するＷという文字を含むアイコン５２ｂが選択されたときには、広告された番組を、それが後で放映されるときに、テレビをオンに切り換えて視聴する」という動作、「詳細を意味するＤという文字を含むアイコン５２ｃが選択されたときには、広告された番組の詳細をＴＶ２０のスクリーンに表示する」という動作の３つが、本願発明の「前記アイコンを表示する間に受信される視聴者の入力に応答して実行される特有アクション」と対応している。
　第四に、上記したとおり、本願発明の「前記アイコンを表示する間に受信される視聴者の入力に応答して実行される特有アクション」を示す情報は、本願明細書(平成２５年７月２６日付手続補正書で補正されたもの)に記載される「iPreview タグ」自体、ないしは、そのタグが「iPreviewタグ」であることを示している『タグの第一の文字は、常に「i」である』という情報を指すものであるから、本願発明の「前記アイコンを表示する間に受信される視聴者の入力に応答して実行される特有アクション」を示す情報は、「特定タグ」の中に独立した情報として明示的に存在する必要はないものである。これに対し、引用発明１の「広告の間の垂直帰線消去インターバル（“VBI”)に送られ」る「アイコン」は、その「アイコン」が存在することによって、その「広告の間」に表示される、引用発明１の「記録を意味するＲという文字を含むアイコン５２ａが選択されたときには、広告された番組を、それが後で放映されるときに記録するものであって、広告された番組を１回だけ、毎日、毎週、シリーズ番組として録画するかを選択するメニューが表示され」るという動作、「視聴を意味するＷという文字を含むアイコン５２ｂが選択されたときには、広告された番組を、それが後で放映されるときに、テレビをオンに切り換えて視聴する」という動作、「詳細を意味するＤという文字を含むアイコン５２ｃが選択されたときには、広告された番組の詳細をＴＶ２０のスクリーンに表示する」という動作の３つが実行されるということを表現しているといえるから、引用発明１の「アイコン」と本願明細書(平成２５年７月２６日付手続補正書で補正されたもの)に記載される「iPreview タグ」は、いずれも、それ自体が、本願発明でいう「前記アイコンを表示する間に受信される視聴者の入力に応答して実行される特有アクション」を示す情報を有しているといえ、結局、引用発明１の「アイコン」が本願発明の「前記アイコンを表示する間に受信される視聴者の入力に応答して実行される特有アクションとを示す情報」に相当する情報を備えるといえる。
　
　したがって、引用発明１は本願発明の「前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップ」に相当する部分を有する点で一致している。
　
４．７．「前記特定タグの検出に応じて、前記受信機が、前記ビデオ・ストリームの特定セグメントを再生する間に、前記アイコンを前記特定セグメントに重ねるステップ」「前記受信機が、前記重ねられたアイコンと共に前記特定セグメントを再生する間に、前記受信機が、前記視聴者の入力を受信するステップ」
　上記『４．３．「前記受信機が、当該ビデオ・ストリーム内のタグを検出するステップ」』でも述べたように、引用発明１の「アイコン」と本願発明の「ビデオ・ストリーム内のタグ」は、いずれも「垂直帰線消去インターバル（“VBI”)」の間に送られ、検出される情報である点で一致し、引用発明１の「アイコン」は本願発明の「ビデオ・ストリーム内のタグ」に相当するということができる。加えて、上記『４．６．「前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップ」』で述べたように、引用発明１の「アイコン」も、本願発明でいう「特定セグメント」に関連しているということができるものであって、更に、引用発明１の「家庭用娯楽システム(home entertainment system)」は「アイコン」について「告知の間、その前又はその後に、ＥＰＧ機能が利用できることを示す複数のアイコンがスクリーンに表示され、対応するアイコンを選択することにより呼び出すことのできる異なるＥＰＧ機能を実行するもの」るものであるから、引用発明１は、本願発明は「前記特定タグの検出に応じて、前記受信機が、前記ビデオ・ストリームの特定セグメントを再生する間に、前記アイコンを前記特定セグメントに重ねるステップ」「前記受信機が、前記重ねられたアイコンと共に前記特定セグメントを再生する間に、前記受信機が、前記視聴者の入力を受信するステップ」に相当する処理をしているということができる。
　
４．８．「前記受信機が、前記重ねられたアイコンと共に前記特定セグメントを再生する間に、前記受信機が、前記視聴者の入力を受信すると、前記受信機が、前記特定タグ内の前記情報によって示される特有アクションを実行するステップ」
　引用発明１の「家庭用娯楽システム(home entertainment system)」は「アイコン」について「告知の間、その前又はその後に、ＥＰＧ機能が利用できることを示す複数のアイコンがスクリーンに表示され、対応するアイコンを選択することにより呼び出すことのできる異なるＥＰＧ機能を実行するもの」るものであり、更に、「アイコン」は「記録を意味するＲという文字を含むアイコン５２ａ、視聴を意味するＷという文字を含むアイコン５２ｂ、詳細を意味するＤという文字を含むアイコン５２ｃを含むものであって、選択されたアイコン５２をクリックすることによりアイコンの１つを選択すると、それに対応するＥＰＧ機能が直接的に呼び出されるもの」である。
　
　まず、上記『４．６．「前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップ」』で述べたように、引用発明１の「アイコン」が本願発明の「前記アイコンを表示する間に受信される視聴者の入力に応答して実行される特有アクション」を示す情報を有しているといえる。
　更に、上記『４．７．「前記特定タグの検出に応じて、前記受信機が、前記ビデオ・ストリームの特定セグメントを再生する間に、前記アイコンを前記特定セグメントに重ねるステップ」「前記受信機が、前記重ねられたアイコンと共に前記特定セグメントを再生する間に、前記受信機が、前記視聴者の入力を受信するステップ」』で述べたように、引用発明１と本願発明は「前記受信機が、前記重ねられたアイコンと共に前記特定セグメントを再生する間に、前記受信機が、前記視聴者の入力を受信するステップ」を有する点で一致している。
　
　これらを前提として、本願発明の「前記受信機が、前記重ねられたアイコンと共に前記特定セグメントを再生する間に、前記受信機が、前記視聴者の入力を受信すると、前記受信機が、前記特定タグ内の前記情報によって示される特有アクションを実行するステップ」と、引用発明１の「家庭用娯楽システム(home entertainment system)」は「アイコン」について「告知の間、その前又はその後に、ＥＰＧ機能が利用できることを示す複数のアイコンがスクリーンに表示され、対応するアイコンを選択することにより呼び出すことのできる異なるＥＰＧ機能を実行するもの」るものであり、更に、「アイコン」は「記録を意味するＲという文字を含むアイコン５２ａ、視聴を意味するＷという文字を含むアイコン５２ｂ、詳細を意味するＤという文字を含むアイコン５２ｃを含むものであって、選択されたアイコン５２をクリックすることによりアイコンの１つを選択すると、それに対応するＥＰＧ機能が直接的に呼び出されるもの」であることを対比する。
　
　そうすると、引用発明１の「家庭用娯楽システム(home entertainment system)」が「告知の間、その前又はその後に、ＥＰＧ機能が利用できることを示す複数のアイコンがスクリーンに表示され、対応するアイコンを選択することにより呼び出すことのできる異なるＥＰＧ機能を実行する」ことと、本願発明の「前記受信機が、前記重ねられたアイコンと共に前記特定セグメントを再生する間に、前記受信機が、前記視聴者の入力を受信すると、前記受信機が、前記特定タグ内の前記情報によって示される特有アクションを実行する」ことが一致するから、引用発明１は本願発明の「前記受信機が、前記重ねられたアイコンと共に前記特定セグメントを再生する間に、前記受信機が、前記視聴者の入力を受信すると、前記受信機が、前記特定タグ内の前記情報によって示される特有アクションを実行するステップ」に相当する処理を行っているということができる。
　
４．９．「前記特定セグメントが、将来上映されるであろう番組の将来の上映についてのプロモーション広告であり」
　引用発明１において「アイコン」が「表示されるテレビ番組は、将来のテレビ番組の告知又は広告を含むものであ」るから、引用発明１と本願発明は「前記特定セグメントが、将来上映されるであろう番組の将来の上映についてのプロモーション広告であ」る点で一致している。
　
４．１０．「前記特定タグが、将来上映されるであろう前記番組の番組識別子を含み」「前記アイコンが、前記番組がレコーディング可能であることを示し」「前記特有アクションが、前記特定タグに含まれる前記番組識別子に基づいて、前記番組のレコーディングを自動的に予約することを含む」
　本願発明は「前記特有アクションが、前記特定タグに含まれる前記番組識別子に基づいて、前記番組のレコーディングを自動的に予約する」ものであるが、この「自動的に予約する」とはどのような意味であるのか、本願明細書の記載を参酌して以下検討する。そうすると、本願明細書(平成２５年７月２６日付手続補正書で補正されたもの)に「【０１４０】タグ・インタープリータ2005は、ユーザ入力を待つ。視聴者が予め設定した嗜好に応じて、選択ボタン2204を押すことにより、タグ・インタープリータ2005が自動的に番組のレコーディングを予約する（これは、ワンタッチのレコーディングとなる）、または、視聴者に、レコード・オプション・スクリーン2101が提示される。視聴者は、レコード・メニュ項目2102を強調表示し、そして選択ボタン2204を押してこの番組のレコーディングを予約する。」と記載され、「または」の前に「タグ・インタープリータ2005が自動的に番組のレコーディングを予約する（これは、ワンタッチのレコーディングとなる）」と、また、「または」の後に「視聴者に、レコード・オプション・スクリーン2101が提示される。視聴者は、レコード・メニュ項目2102を強調表示し、そして選択ボタン2204を押してこの番組のレコーディングを予約する。」となっているところからみて、本願発明の「前記番組のレコーディングを自動的に予約すること」の「自動的に」とは、「選択ボタン2204を押すことにより」、本願の【図２１】に記載されるような「レコード・オプション・スクリーン2101」が表示されずに、番組のレコーディングを予約することを指していると認めることができる。
　また、本願発明は「前記特定タグが、将来上映されるであろう前記番組の番組識別子を含」むものであるが、本願明細書(平成２５年７月２６日付手続補正書で補正されたもの)の「【０１２７】（iPreview タグ）図１７を参照すると、iPreviewタグは、4つの情報を含む。第一のタグは、予告されている番組の32ビット・プログラムIDである。第二のタグは、プロモーションがどれくらい長く続くかと言う情報を含む。第三部分は、スクリーン1701上のどこにiPreviewアラート1702を配置するかと言う情報、および、最後の部分は、どのサイズのiPreviewアラートを使用するかと言う情報を含む。」との記載からみて、本願発明の「将来上映されるであろう前記番組の番組識別子」とは、本願明細書に記載される発明における「予告されている番組の32ビット・プログラムID」に対応するものと認められるところ、本願明細書(平成２５年７月２６日付手続補正書で補正されたもの)の記載、特に「【０１４３】タグそれ自身は、Tag Interpreter 2005によって解釈された。Tag Interpreter 2005は、遠隔制御2201によるいかなる視聴者の入力も待つ。一旦、視聴者が選択・ボタン2204をプレスすると、Tag Interpreter 2005は、iPreviewタグ内に32ビット・プログラムIDによって記載されている番組のレコーディングの予約を入れることをTiVoシステムに知らせる。」との記載をみても、この「予告されている番組の32ビット・プログラムID」が具体的にどのような情報を含むことによって番組を識別し、「TiVoシステム」が「予告されている番組の32ビット・プログラムID」を用いて、どのようにして「予告されている番組」を特定して、それに対して「レコーディングの予約を入れる」のかは明らかではないから、本願発明の「将来上映されるであろう前記番組の番組識別子」とは、その「番組識別子」を用いて「将来上映されるであろう前記番組」が識別できるものであれば良く、具体的に、その「番組識別子」がどのような情報を有することによって、番組を識別しているのか迄は特定していないものと認めることができる。
　したがって、これらの解釈を前提として以下検討する。
　
　まず、引用発明１の「家庭用娯楽システム(home entertainment system)」の「表示されるテレビ番組は、将来のテレビ番組の告知又は広告を含むものであって、告知の間、その前又はその後に、ＥＰＧ機能が利用できることを示す複数のアイコンがスクリーンに表示され、対応するアイコンを選択することにより呼び出すことのできる異なるＥＰＧ機能を実行するものであって」、引用発明１の「アイコン」は「記録を意味するＲという文字を含むアイコン５２ａ、視聴を意味するＷという文字を含むアイコン５２ｂ、詳細を意味するＤという文字を含むアイコン５２ｃを含むものであって、選択されたアイコン５２をクリックすることによりアイコンの１つを選択すると、それに対応するＥＰＧ機能が直接的に呼び出されるもの」であって「記録を意味するＲという文字を含むアイコン５２ａが選択されたときには、広告された番組を、それが後で放映されるときに記録するものであって、広告された番組を１回だけ、毎日、毎週、シリーズ番組として録画するかを選択するメニューが表示され」るものであり、更に、「時刻及びチャンネルによって検索することができるテレビ番組に関するＥＰＧ情報(EPG information)は、テレビ番組に対するショー情報パッケージ（ＳＩＰ）(show information packages (SIP))を指すアドレスを含み、アイコン５２を有する各テレビ番組は、そのＳＩＰにおいて、後で放映されるべき広告された番組のスケジュール情報、即ち日付、時刻、チャンネル及び長さを指すアドレスを含み、これにより、２つのテレビ番組の情報をリンクするものであって、記録又は視聴機能が選択された場合には、チャンネルがチューナー１１から読み取られ、そして時刻がマイクロプロセッサ２４のリアルタイムクロックから読み取られ、この情報から、現在テレビ番組のＳＩＰのポインタが、予め確立された時刻リストから検索され、マイクロプロセッサ２４が現在テレビ番組に対するＳＩＰを見出し、ＳＩＰに含まれる広告された番組に対するスケジュール情報を用いてＶＣＲを予約する」ものである。
　
　第一に、上記『４．６．「前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップ」』でも述べたように、引用発明１の「記録を意味するＲという文字を含むアイコン５２ａが選択されたときには、広告された番組を、それが後で放映されるときに記録するものであって、広告された番組を１回だけ、毎日、毎週、シリーズ番組として録画するかを選択するメニューが表示され」るという動作、「視聴を意味するＷという文字を含むアイコン５２ｂが選択されたときには、広告された番組を、それが後で放映されるときに、テレビをオンに切り換えて視聴する」という動作、「詳細を意味するＤという文字を含むアイコン５２ｃが選択されたときには、広告された番組の詳細をＴＶ２０のスクリーンに表示する」という動作の３つが、本願発明の「前記アイコンを表示する間に受信される視聴者の入力に応答して実行される特有アクション」と対応しているが、引用発明１の「記録を意味するＲという文字を含むアイコン５２ａが選択されたときには、広告された番組を、それが後で放映されるときに記録するものであって、広告された番組を１回だけ、毎日、毎週、シリーズ番組として録画するかを選択するメニューが表示され」ることは、本願発明の「番組のレコーディングを予約すること」であるということができるから、引用発明１と本願発明は「前記特有アクションが」「前記番組のレコーディングを」「予約することを含む」点で一致している。しかしながら、上記したように、本願発明の「自動的に」とは、「選択ボタン2204を押すことにより」、本願の【図２１】に記載されるような「レコード・オプション・スクリーン2101」が表示されずに、番組のレコーディングを予約することを指していると解釈できるのに対し、引用発明１は「広告された番組を１回だけ、毎日、毎週、シリーズ番組として録画するかを選択するメニューが表示され」を一旦介するから、この番組のレコーディングを予約することについて、本願発明は「自動的に」行うのに対し、引用発明１はそのようなものではない点で相違する。
　第二に、引用発明の「後で放映されるべき広告された番組」と本願発明の「将来上映されるであろう前記番組」はいずれも、その「レコーディングを」「予約する」対象となる点で一致しており、また、引用発明の「アイコン」て「記録を意味するＲという文字を含むアイコン５２ａ」が表示されるところからみて、引用発明の「アイコン」も本願発明と同様に「前記アイコンが、前記番組がレコーディング可能であることを示」すものであるということはできる。
　第三に、引用発明１の「広告された番組のスケジュール情報、即ち日付、時刻、チャンネル及び長さを指すアドレス」と本願発明の「番組識別子」は、いずれも、引用発明でいう「後で放映されるべき広告された番組」ないし本願発明でいう「将来上映されるであろう前記番組」を識別するためのものである点で対応するものであるが、この「将来上映されるであろう前記番組」を識別する「将来上映されるであろう前記番組の番組識別子」について、本願発明は「前記特定タグ」に含まれるのに対し、引用発明１では現在放送中の「アイコン５２を有する各テレビ番組」に関する「時刻及びチャンネルによって検索することができるテレビ番組に関するＥＰＧ情報(EPG information)」に含まれる「アドレス」で指定される「テレビ番組に対するショー情報パッケージ（ＳＩＰ）(show information packages (SIP))」に含まれている点で異なっている。
　
　すなわち、これらをまとめると、引用発明１と本願発明は、(a)「前記アイコンが、前記番組がレコーディング可能であることを示し」ている点、(b)「前記特有アクションが」「前記番組のレコーディングを」「予約することを含む」点で一致しているが、(c)「将来上映されるであろう前記番組」を識別する「将来上映されるであろう前記番組の番組識別子」について、本願発明は「前記特定タグ」に含まれるのに対し、引用発明１では現在放送中の「アイコン５２を有する各テレビ番組」に関する「時刻及びチャンネルによって検索することができるテレビ番組に関するＥＰＧ情報(EPG information)」に含まれる「アドレス」で指定される「テレビ番組に対するショー情報パッケージ（ＳＩＰ）(show information packages (SIP))」に含まれている点、(d)番組のレコーディングを予約することについて、本願発明は「自動的に」行うのに対し、引用発明１はそのようなものではない点、で異なっている。
　
４．１１．「前記入力が、リモート入力装置の一回のキー押しであり」
　引用発明１の「家庭用娯楽システム(home entertainment system)」は「好ましくはリモートＩＲコントローラの形態の視聴者入力装置２８(viewer input device 28)」を有し、その「アイコン」は「記録を意味するＲという文字を含むアイコン５２ａ、視聴を意味するＷという文字を含むアイコン５２ｂ、詳細を意味するＤという文字を含むアイコン５２ｃを含むものであって、選択されたアイコン５２をクリックすることによりアイコンの１つを選択すると、それに対応するＥＰＧ機能が直接的に呼び出されるもの」であって「視聴を意味するＷという文字を含むアイコン５２ｂが選択されたときには、広告された番組を、それが後で放映されるときに、テレビをオンに切り換えて視聴するものであって、詳細を意味するＤという文字を含むアイコン５２ｃが選択されたときには、広告された番組の詳細をＴＶ２０のスクリーンに表示するものであ」る。そして、この「選択されたアイコン５２をクリックすること」とは「リモートＩＲコントローラの形態の視聴者入力装置２８(viewer input device 28)」による「一回のキー押し」であるということができるから、引用発明１と本願発明は「前記入力が、リモート入力装置の一回のキー押しであ」る点で一致している。
　
５．一致点・相違点
　したがって、本願発明と引用発明１は以下の点で一致し、相違する。
　
[一致点]
「受信機でビデオ・ストリームを受信するステップと、
　前記受信機が、当該ビデオ・ストリーム内のタグを検出するステップと、
　前記受信機が、当該タグを処理するステップと、
　前記受信機が、当該ビデオ・ストリームを視聴者に表示するステップと、
　前記受信機が、前記ビデオ・ストリームの特定セグメントに関連する特定タグを検出するステップであって、前記特定タグが、表示するアイコンと、前記アイコンを表示する間に受信される視聴者の入力に応答して実行される特有アクションとを示す情報を備える、ステップと、
　前記特定タグの検出に応じて、前記受信機が、前記ビデオ・ストリームの特定セグメントを再生する間に、前記アイコンを前記特定セグメントに重ねるステップと、
　前記受信機が、前記重ねられたアイコンと共に前記特定セグメントを再生する間に、前記受信機が、前記視聴者の入力を受信するステップと、
　前記受信機が、前記重ねられたアイコンと共に前記特定セグメントを再生する間に、前記受信機が、前記視聴者の入力を受信すると、前記受信機が、前記情報によって示される特有アクションを実行するステップと
　を備え、
　前記特定セグメントが、将来上映されるであろう番組の将来の上映についてのプロモーション広告であり、
　前記アイコンが、前記番組がレコーディング可能であることを示し、
　前記入力が、リモート入力装置の一回のキー押しであり、かつ
　前記特有アクションが、前記番組のレコーディングを予約することを含む、
　方法。」
　
［相違点］
(1)　本願発明は「前記受信機が、前記受信機に結合されている格納装置上に当該ビデオ・ストリームを格納するステップ」を有し「当該格納装置からの当該」ビデオ・ストリームを視聴者に表示するのに対し、引用発明は、本願発明の「前記受信機が、前記受信機に結合されている格納装置上に当該ビデオ・ストリームを格納するステップ」に相当する部分を有さず、視聴者に表示されるビデオ・ストリームも「当該格納装置からの」ものではない点。
(2)　「将来上映されるであろう前記番組」を識別する「将来上映されるであろう前記番組の番組識別子」について、本願発明は「前記特定タグ」に含まれるのに対し、引用発明１では現在放送中の「アイコン５２を有する各テレビ番組」に関する「時刻及びチャンネルによって検索することができるテレビ番組に関するＥＰＧ情報(EPG information)」に含まれる「アドレス」で指定される「テレビ番組に対するショー情報パッケージ（ＳＩＰ）(show information packages (SIP))」に含まれている点。
(3)　番組のレコーディングを予約することについて、本願発明は「自動的に」行うのに対し、引用発明１はそのようなものではない点。
　
６．当審の判断
　上記相違点について検討する。
　
６．１．相違点(1)
　上記したように、本願発明は「前記受信機が、前記受信機に結合されている格納装置上に当該ビデオ・ストリームを格納するステップ」を有し「当該格納装置からの」当該ビデオ・ストリームを視聴者に表示するのに対し、引用発明は、本願発明の「前記受信機が、前記受信機に結合されている格納装置上に当該ビデオ・ストリームを格納するステップ」に相当する部分を有さず、視聴者に表示されるビデオ・ストリームも「当該格納装置からの」ものではない点で相違し、上記『４．２．「前記受信機が、前記受信機に結合されている格納装置上に当該ビデオ・ストリームを格納するステップ」』でも述べたように、本願発明が「前記受信機が、前記受信機に結合されている格納装置上に当該ビデオ・ストリームを格納するステップ」を有し「当該格納装置からの当該ビデオ・ストリームを視聴者に表示する」のは、「視聴者が退出してきた正確なポイントで彼が見ていた番組に、視聴者を戻す」ために、その間、番組の表示を停止させるためのものということができる。
　
　これに対し、引用発明１の「家庭用娯楽システム(home entertainment system)」は「表示されるテレビ番組は、将来のテレビ番組の告知又は広告を含むものであって、告知の間、その前又はその後に、ＥＰＧ機能が利用できることを示す複数のアイコンがスクリーンに表示され、対応するアイコンを選択することにより呼び出すことのできる異なるＥＰＧ機能を実行するものであって、アイコンは広告の間の垂直帰線消去インターバル（“VBI”)に送られ、ＶＢＩ検出器３８(VBI decoder 38)により回復し、映像プロセッサ３０(video processor 30)においてグラフィック形態に変換し、広告映像の上に重ねて表示され、アイコンとして、記録を意味するＲという文字を含むアイコン５２ａ、視聴を意味するＷという文字を含むアイコン５２ｂ、詳細を意味するＤという文字を含むアイコン５２ｃを含むものであって、選択されたアイコン５２をクリックすることによりアイコンの１つを選択すると、それに対応するＥＰＧ機能が直接的に呼び出されるものであり」、「詳細を意味するＤという文字を含むアイコン５２ｃが選択されたときには、広告された番組の詳細をＴＶ２０のスクリーンに表示するものであ」って、引用例１には、この「広告された番組の詳細」がどのような形で「ＴＶ２０のスクリーンに表示」されるのかは明示されてはいないものの、このような「番組の詳細」が通常有する情報の量から考えると、引用例１の Fig.3 や Fig.4 に記載されるような、現在放送されている番組を「広告された番組の詳細」が隠す形となるオーバーレイ表示や、Fig.5 に記載されるように、現在放送されている番組を縮小して子画面で表示し、親画面で「広告された番組の詳細」を表示することなど、いずれにしろ、現在放送されている番組の見やすさを犠牲にしたものとなるものと認めることができるから、引用発明１において、「広告された番組の詳細」を表示しているときにも、この「現在放送されている番組の見やすさ」を何らかの形で維持しようとすることは、当業者が自然に考えつくことにすぎない。
　
　そして、引用発明２は「テレビジョンプログラムと同時にテレビジョンプログラム−関連情報（ＰＲＩ）が視聴者のテレビジョン画面のディスプレイに対するテレビジョン信号の垂直帰線消去期間（ＶＢＩ）に組込まれたシステムであって、テレビジョンプログラム−関連情報（ＰＲＩ）は、現行テレビジョンプログラムに関連するテキスト又はグラフィック情報であり、視聴者に特定のフレームでプログラムを一時停止させ、視聴者が暇な時間にＰＲＩを閲覧させ、そして、プログラム又はプログラム内容のビデオ及びＰＲＩ部分の連続性を損なうことなしに、そのフレームからプログラムを見ることを再開させるテレビジョンシステムであって、ディスプレイ画面；ＰＲＩを含む埋設データを有するテレビジョン信号を受信するためのチューナ；前記テレビジョン信号から前記埋込データを抽出するための手段；前記埋込データを記憶するためのメモリ；視聴者命令を入力するための入力手段；それが受信された通りに前記テレビジョン信号を記憶すると同時にディスプレイのために該記憶したテレビジョン信号を出力することができるタイムシフト装置；前記第１の視聴者命令に応じて前記ディスプレイの第１の部分の前記テレビジョン信号及び該ディスプレイの第２の部分の前記ＰＲＩに含まれるテレビジョンプログラムを含む複合ディスプレイを発生するための手段；第２の視聴者命令に応じてそれが受信された通りに前記テレビジョン信号を記憶しかつ前記ディスプレイ画面の第１の部分の当該憶されたテレビジョン信号からスチールフレームを表示すべく前記タイムシフト装置を制御するための手段；及び第３の視聴者命令に応じて前記ディスプレイの前記第１の部分のディスプレイに対して前記スチールフレームに後続する前記記憶されたテレビジョン信号の部分を出力すべく前記タイムシフト装置を制御するための手段を含んでいるマイクロコントローラを備えていることを特徴とするシステム。」であり、引用発明２が有する「それが受信された通りに前記テレビジョン信号を記憶すると同時にディスプレイのために該記憶したテレビジョン信号を出力することができるタイムシフト装置」を用いることによって「プログラム又はプログラム内容のビデオ及びＰＲＩ部分の連続性を損な」わず、「プログラム又はプログラム内容のビデオ」、および、「現行テレビジョンプログラムに関連するテキスト又はグラフィック情報」を含む「ＰＲＩ部分」双方の見やすさを維持しているということができるものであり、上記したように、引用発明１において「広告された番組の詳細」を表示しているときにも、この「現在放送されている番組の見やすさ」を何らかの形で維持しようとすることは、当業者が自然に考えつくことにすぎないことからみて、引用発明１に引用発明２を組み合わせ、本願発明のように「前記受信機が、前記受信機に結合されている格納装置上に当該ビデオ・ストリームを格納するステップ」を有し「当該格納装置からの」当該ビデオ・ストリームを視聴者に表示するようにし、『「視聴者が退出してきた正確なポイントで彼が見ていた番組に、視聴者を戻す」ために、その間、番組の表示を停止させる』ことを実現させるように構成したことは、当業者が容易になしえたことにすぎない。
　
６．２．相違点(2)
　「将来上映されるであろう前記番組」を識別する「将来上映されるであろう前記番組の番組識別子」について、本願発明は「前記特定タグ」に含まれるのに対し、引用発明１では現在放送中の「アイコン５２を有する各テレビ番組」に関する「時刻及びチャンネルによって検索することができるテレビ番組に関するＥＰＧ情報(EPG information)」に含まれる「アドレス」で指定される「テレビ番組に対するショー情報パッケージ（ＳＩＰ）(show information packages (SIP))」に含まれているものである。
　
　しかしながら、引用例１の上記“If the Internet function is selected, the system sets up a connection to a web site where more information is available about the other television program to which the announcement or advertisement relates. The web site address (URL) could be embedded in the VBI of the television signal that carries the announcement, stored at the television receiver in the EPG data base as part of the SIP for the current television program, or retrieved from a central data base via a telephone connection. After the Internet connection is established, as illustrated in FIG.5, the television program is displayed in a PIP window 58 with the web site information in the background 60, or vis-a- versa. Alternatively, the web site information could replace the television program on the screen. In either case, the viewer can navigate about the web site in the normal fashion to find the desired information.”(第７頁第３０行〜第８頁第２行)(「【００２０】インターネット機能が選択された場合には、システムがウェブサイトへの接続を設定し、ここでは、告知又は広告に関連した他のテレビ番組に関するより多くの情報が得られる。ウェブサイトアドレス（ＵＲＬ）は、告知を搬送するテレビ信号のＶＢＩに埋め込むこともできるし、又はテレビ受像機において現在テレビ番組に対するＳＩＰの一部分としてＥＰＧデータベースに記憶することもできるし、或いは電話接続を経て中央データベースから検索することもできる。インターネット接続が確立された後に、図５に示すように、テレビ番組がＰＩＰウインドウ５８にそしてウェブサイト情報が背景６０に表示されるか又はその逆に表示される。或いは又、ウェブサイト情報がスクリーン上のテレビ番組に置き換わることもできる。いずれの場合にも、視聴者は、ウェブサイトについて通常のやり方でナビゲーションし、希望の情報を見出すことができる。」)との記載からみて、引用例１には、「ウェブサイトアドレス（ＵＲＬ）」については、「テレビ受像機において現在テレビ番組に対するＳＩＰの一部分」に含ませる代わりに、直接「告知を搬送するテレビ信号のＶＢＩに埋め込む」ことが記載されているから、引用例１の上記記載からみて、引用例１には、必要とする情報を、ＳＩＰの一部分として送る代わりに、直接「テレビ信号のＶＢＩに埋め込む」ことが示唆されているということができる。
　
　また、引用発明３は「視聴中の番組に関連する他の番組を試聴しようとする場合の番組の選択指定を簡単かつ迅速にしかも適確に行なえるようにするためのユーザの番組選択操作性の向上を図り得る多重放送システムであって、送信側において、複数の番組の各々について、当該番組と所定の関連性を有する他の番組を表わすリンク情報を上記複数の番組に多重して送信し、受信側において、上記送信側から送られた放送信号に多重されている複数の番組の中から所望の番組を選択して再生出力する際に、当該選択した番組について作成された上記リンク情報を受信選択して視聴者に提示し、この提示されたリンク情報に基づく番組の変更要求が視聴者により入力された場合に、この変更要求および上記提示中のリンク情報に基づいて、再生出力する番組を変更するようにし、リンク情報は、番組ごとに、さらには同一番組中においてもその時間経過に応じて変化するものであって、リンク先の番組のタイトル、放送チャネル周波数、映像データのＰＩＤ、音声データのＰＩＤ、情報データのおよびリンク情報のＰＩＤを含む、多重放送システム。」であって、「番組ごとに、さらには同一番組中においてもその時間経過に応じて変化するものであって、リンク先の番組のタイトル、放送チャネル周波数、映像データのＰＩＤ、音声データのＰＩＤ、情報データのおよびリンク情報のＰＩＤを含」む「当該番組と所定の関連性を有する他の番組を表わすリンク情報」が、その「当該番組」に多重して送信されるものである。
　
　そして、上記『４．１０．「前記特定タグが、将来上映されるであろう前記番組の番組識別子を含み」「前記アイコンが、前記番組がレコーディング可能であることを示し」「前記特有アクションが、前記特定タグに含まれる前記番組識別子に基づいて、前記番組のレコーディングを自動的に予約することを含む」』で述べたように、引用発明１の「広告された番組のスケジュール情報、即ち日付、時刻、チャンネル及び長さを指すアドレス」と本願発明の「番組識別子」は、いずれも、引用発明でいう「後で放映されるべき広告された番組」ないし本願発明でいう「将来上映されるであろう前記番組」を識別するためのものである点で対応するものであって、引用発明１の「広告された番組のスケジュール情報、即ち日付、時刻、チャンネル及び長さを指すアドレス」を、引用例１に記載された上記示唆に基づき、または、引用発明３に基づき、直接「テレビ信号のＶＢＩに埋め込む」ことは、当業者が容易になしえたことにすぎない。
　
６．３．相違点(3)
　上記『４．１０．「前記特定タグが、将来上映されるであろう前記番組の番組識別子を含み」「前記アイコンが、前記番組がレコーディング可能であることを示し」「前記特有アクションが、前記特定タグに含まれる前記番組識別子に基づいて、前記番組のレコーディングを自動的に予約することを含む」』で述べたように、本願発明の「自動的に」とは、「選択ボタン2204を押すことにより」、本願の【図２１】に記載されるような「レコード・オプション・スクリーン2101」が表示されずに、番組のレコーディングを予約することを指していると解釈できるのに対し、引用発明１は「広告された番組を１回だけ、毎日、毎週、シリーズ番組として録画するかを選択するメニューが表示され」を一旦介するものであるから、番組のレコーディングを予約することについて、本願発明は「自動的に」行うのに対し、引用発明１はそのようなものではない点で異なっている。
　しかしながら、番組の録画予約をするときに、このような、毎日、毎週録画するとしての録画予約や、シリーズ番組として録画するとしての録画予約ができず、単に、その指定された日時での録画予約しかできないような録画装置(VCR)は例を挙げるまでもなく良く知られていること、更に、引用例１の上記“Further, if only the record function is available, the menu of FIG. 3 could be bypassed and the menu of FIG. 4 could be displayed directly; alternatively, if only one other EPG function is available, the menu of FIG. 3 could be bypassed in favor of a prompt to confirm the EPG function or the display of some other appropriate prompting menu.”(第８頁第３６行〜第９頁第４行)(『更に、記録機能しか得られない場合には、図３のメニューをバイパスしそして図４のメニューを直接表示することができ、或いは他の１つのＥＰＧ機能しか得られない場合には、ＥＰＧ機能の確認を促進するために又は他の適当な促進メニューを表示するために、図３のメニューをバイパスすることができる。』(段落【００２４】))との記載にもみられるように、引用例１には、それに相当する機能が存在しない場合には、メニューを省略することが記載されていることからみて、引用例1記載の発明において「広告された番組を１回だけ、毎日、毎週、シリーズ番組として録画するかを選択するメニューが表示され」ることを省略して、本願発明のように「番組のレコーディングを自動的に予約する」ようにしたことは、当業者が容易になしえたことにすぎない。
　
６．４．審判請求人の主張
　審判請求人は平成２６年１月１４日付意見書において、
　
『さらに、本願明細書の段落０１５４に記載されていますように、請求項１に係る発明が関係する複雑さは、受信機が、ビデオ・ストリームをレコーディングすることが出来るので、プロモーション広告を、それが放映された時刻とは異なる様々な時刻で視聴することができることです。引用文献１のシステムは、ＳＩＰを特定する「予め作成された時刻リスト」に依存していますので、引用文献１のタグに基づいて予約する方法は、ビデオ・ストリームがライブで視聴されている時にしか機能せず、過去にレコーディングされたビデオ・ストリームを後に視聴する場合には、機能しません。これに対し、請求項１の方法を実行する受信機は、プロモーション広告が、それが放映された時刻とは異なる時刻に視聴されても、このプロモーション広告のレコーディングを自動的に予約することができると言う特徴を発揮します。』
　
　と主張している。
　
　しかしながら、上記「６．２．相違点(2)」で述べたように、引用発明１において、「広告された番組のスケジュール情報」を、「テレビ番組に対するショー情報パッケージ（ＳＩＰ）(show information packages (SIP))」ではなく、「テレビ信号のＶＢＩに埋め込む」こと自体は、当業者が容易になしえることにすぎず、審判請求人が主張する「プロモーション広告が、それが放映された時刻とは異なる時刻に視聴されても、このプロモーション広告のレコーディングを自動的に予約することができる」ことは、このように、「広告された番組のスケジュール情報」を、「テレビ番組に対するショー情報パッケージ（ＳＩＰ）(show information packages (SIP))」ではなく、「テレビ信号のＶＢＩに埋め込」んだ構成においては、当然得られる効果にすぎず、その構成からみて格別の作用効果であるということはできない。
　
　また、これ以外の作用効果についても、本願発明は、格別の作用効果を奏するものとも認められない。
　
　したがって、本願発明は、引用発明１〜３に基づき当業者が容易に発明できたものである。
　
７．むすび
　以上のとおり、本願の請求項１に係る発明は、引用例１〜３に記載された発明に基づいて当業者が容易に発明をすることができたものであるから、特許法第２９条第２項の規定により特許を受けることができない。
　
　したがって、本願は、請求項２〜１２に係る発明について特に検討するまでもなく拒絶されるべきものである。
　
　よって、結論のとおり審決する。